(57)【要約】  この発明に係る空気調和装置（０）は、熱を搬送する媒体となる熱媒体を加熱または冷却する熱源側ユニット（１）と、建物内へ送風される室外空気と熱媒体との間で熱交換を行う外調側熱交換器（４１）と、室内空気と熱媒体との間で熱交換を行う室内側熱交換器（３１）とを配管接続して、熱媒体を循環させる熱媒体循環回路（Ｂ）を備え、熱媒体循環回路（Ｂ）において、熱源側ユニットで加熱または冷却された熱媒体の一部は、外調側熱交換器（４１）を通過してから室内側熱交換器（３１）に流入し、熱媒体循環回路（Ｂ）には、外調側熱交換器（４１）を通過する熱媒体の流量を調整する外調側流量調整装置（４２）を備えるものである。
2019163042.tif 000002
【特許請求の範囲】
【請求項１】
熱を搬送する媒体となる熱媒体を加熱または冷却する熱源側ユニットと、  建物内へ送風される室外空気と前記熱媒体との間で熱交換を行う外調側熱交換器と、  室内空気と前記熱媒体との間で熱交換を行う室内側熱交換器とを配管接続して、前記熱媒体を循環させる熱媒体循環回路を備え、  前記熱媒体循環回路において、前記熱源側ユニットで加熱または冷却された前記熱媒体の一部は、前記外調側熱交換器を通過してから前記室内側熱交換器に流入し、  前記熱媒体循環回路には、前記外調側熱交換器を通過する前記熱媒体の流量を調整する外調側流量調整装置を備える空気調和装置。
【請求項２】
前記熱源側ユニットで加熱または冷却された前記熱媒体の他の一部は、前記外調側熱交換器を通過せずに前記室内側熱交換器に流入し、  前記外調側流量調整装置は、前記外調側熱交換器を通過して前記室内側熱交換器に流入する前記熱媒体の流量と、前記外調側熱交換器を通過せずに前記室内側熱交換器に流入する前記熱媒体の流量との比率を調整する請求項１に記載の空気調和装置。
【請求項３】
前記熱源側ユニットで加熱または冷却された前記熱媒体の一部であり、前記外調側熱交換器を通過した前記熱媒体と、前記熱源側ユニットで加熱または冷却された前記熱媒体の他の一部であり、前記外調側熱交換器を通過しない前記熱媒体とは、前記外調側熱交換器と前記室内側熱交換器とを接続する配管で合流した後に、前記室内側熱交換器へ流入する請求項２に記載の空気調和装置。
【請求項４】
前記熱媒体循環回路は、前記熱源側ユニットと前記外調側熱交換器とを接続する配管と、前記外調側熱交換器と前記室内側熱交換器とを接続する配管とを、前記外調側熱交換器を介さずに接続するバイパス配管を備え、  前記外調側流量調整装置は、前記外調側熱交換器を通過して前記室内側熱交換器に流入する前記熱媒体の流量と、前記バイパス配管を通過して前記室内側熱交換器に流入する前記熱媒体の流量の比率とを調整する請求項１〜請求項３のいずれか一項に記載の空気調和装置。
【請求項５】
前記熱源側ユニットは、  熱源側冷媒を圧縮する圧縮機と、  前記熱源側冷媒と空気との熱交換を行う熱源側熱交換器と、  前記熱源側冷媒を減圧する絞り装置と、  前記熱源側冷媒と前記熱媒体との熱交換を行う熱媒体熱交換器とを配管接続した熱源側冷媒循環回路を有する請求項１〜請求項４のいずれか一項に記載の空気調和装置。
【請求項６】
前記外調側流量調整装置は、前記室外空気の温度とあらかじめ定められた外調側設定温度との差が大きくなると、前記外調側熱交換器に流れる前記熱媒体の流量を増加させる請求項１〜請求項５のいずれか一項に記載の空気調和装置。
【請求項７】
前記外調側流量調整装置は、前記外調側熱交換器において熱交換される熱量と、前記外調側熱交換器が必要とする熱量とに基づき、前記外調側熱交換器に流れる前記熱媒体の流量を調整する請求項１〜請求項６のいずれか一項に記載の空気調和装置。
【請求項８】
前記熱源側ユニットは、前記外調側熱交換器が必要とする熱量が前記外調側熱交換器において熱交換される熱量よりも大きく、前記外調側流量調整装置で調整可能な流量の上限に達している場合に、前記熱媒体に与える加熱量または冷却量を増加する請求項１〜請求項７のいずれか一項に記載の空気調和装置。
【請求項９】
前記熱源側ユニットは、前記外調側熱交換器において熱交換される熱量と前記室内側熱交換器において熱交換される熱量との和に基づいて、前記熱媒体へ与える加熱量または冷却量を変更する請求項１〜請求項８のいずれか一項に記載の空気調和装置。
【請求項１０】
前記外調側熱交換器において熱交換される熱量を検出する外調側熱量検出装置を備え、  前記外調側熱量検出装置は、  前記外調側熱交換器に流入する前記熱媒体の温度を検出する外調流入口側温度センサと、  前記外調側熱交換器より流出する前記熱媒体の温度を検出する外調流出口側温度センサと、  前記外調流入口側温度センサの検出に係る温度、前記外調流出口側温度センサの検出に係る温度および前記外調側熱交換器を通過する前記熱媒体の流量に基づき、前記外調側熱交換器において熱交換される熱量を算出するエアハンドリングユニット制御装置とを備える請求項７〜請求項９のいずれか一項に記載の空気調和装置。
【請求項１１】
前記外調側流量調整装置は開度を調整できる弁であり、  前記外調側熱量検出装置は、  前記外調側熱交換器に流入する前記熱媒体の圧力を検出する外調流入口側圧力センサと、  前記外調側熱交換器より流出する前記熱媒体の圧力を検出する外調流出口側圧力センサとを備え、  前記エアハンドリングユニット制御装置は、前記外調流入口側圧力センサの検出に係る圧力と前記外調流出口側圧力センサの検出に係る圧力との差圧および前記外調側流量調整装置の開度に基づき、前記外調側熱交換器を通過する前記熱媒体の流量を算出する請求項１０に記載の空気調和装置。
【請求項１２】
前記外調側流量調整装置、前記外調側熱交換器および前記外調側流量調整装置を制御するエアハンドリングユニット制御装置を収納するエアハンドリングユニット筐体と、  前記熱源側ユニットが前記熱媒体に供給する加熱量または冷却量を制御する熱源側ユニット制御装置とを備え、  前記エアハンドリングユニット制御装置と、前記熱源側ユニット制御装置との間が通信接続されている請求項１〜請求項１１のいずれか一項に記載の空気調和装置。
【請求項１３】
前記外調側熱交換器を通過して、前記室内側熱交換器に流入するまでの前記熱媒体の温度を上昇または下降させる補助熱源側ユニットを備える請求項１〜請求項１２のいずれか一項に記載の空気調和装置。
【請求項１４】
前記補助熱源側ユニットは、前記熱媒体を加熱または冷却し、  前記外調側熱交換器を通過して、前記室内側熱交換器に流入するまでの前記熱媒体は、前記補助熱源側ユニットで加熱または冷却された前記熱媒体と合流してから前記室内側熱交換器に流入する請求項１３に記載の空気調和装置。
【請求項１５】
前記補助熱源側ユニットは、前記室内側熱交換器より流出した前記熱媒体を加熱または冷却し、  前記補助熱源側ユニットで加熱または冷却された前記熱媒体は、前記熱源側ユニットおよび前記外調側熱交換器を通過せずに、前記外調側熱交換器を通過した前記熱媒体と合流する請求項１４に記載の空気調和装置。
【請求項１６】
前記補助熱源側ユニットは、前記室内側熱交換器で熱交換される熱量が不足している状態であり、前記熱源側ユニットがあらかじめ定められた出力上限に達している場合に、前記補助熱源側ユニットは前記熱媒体の加熱または冷却を行う請求項１３〜請求項１５のいずれか一項に記載の空気調和装置。
【請求項１７】
対象空間外から対象空間内に送風される空気と、熱源側ユニットで加熱または冷却した熱媒体の一部との間で熱交換を行う外調側熱交換器と、  前記外調側熱交換器を通過する前記熱媒体の流量を調整する外調側流量調整装置とを備え、  前記外調側熱交換器で熱交換を行った前記熱媒体は、室内空気と前記熱媒体の間で熱交換を行う室内側熱交換器に流入するエアハンドリングユニット。
【請求項１８】
前記熱源側ユニットで加熱または冷却された前記熱媒体が流入する流入口と、  前記流入口と前記外調側熱交換器とを接続する往路配管と、  前記外調側熱交換器で熱交換を行った前記熱媒体が流出する流出口と、  前記流出口と前記外調側熱交換器とを接続する復路配管と、  前記往路配管と前記復路配管とを前記外調側熱交換器を介さずに接続するバイパス配管とを備え、  前記外調側流量調整装置は、前記流入口から前記外調側熱交換器に流れる前記熱媒体の流量と、前記流入口から前記バイパス配管に流れる前記熱媒体の流量との比率を調整する請求項１７に記載のエアハンドリングユニット。
【請求項１９】
前記外調側流量調整装置は、前記外調側熱交換器において熱交換される熱量と前記外調側熱交換器が必要とする熱量とに基づき、前記外調側熱交換器に流れる前記熱媒体の流量を調整する請求項１７または請求項１８に記載のエアハンドリングユニット。
【請求項２０】
前記外調側流量調整装置を制御するエアハンドリングユニット制御装置を備え、  前記エアハンドリングユニット制御装置は、熱を搬送する媒体となる前記熱媒体を加熱または冷却する熱源側ユニットを制御する熱源側ユニット制御装置と通信接続される請求項１７〜請求項１９のいずれか一項に記載のエアハンドリングユニット。
【請求項２１】
前記外調側熱交換器において熱交換される熱量を検出する外調側熱量検出装置を備え、  前記エアハンドリングユニット制御装置は、前記外調側熱量検出装置により検出した前記外調側熱交換器において熱交換される熱量に関するデータを、前記熱源側ユニット制御装置に送信する請求項２０に記載のエアハンドリングユニット。
【請求項２２】
前記外調側熱量検出装置は、  前記外調側熱交換器に流入する前記熱媒体の温度を検出する外調流入口側温度センサと、  前記外調側熱交換器より流出する前記熱媒体の温度を検出する外調流出口側温度センサと、  前記エアハンドリングユニット制御装置と、を有し、  前記エアハンドリングユニット制御装置は、前記外調流出口側温度センサの検出温度と、前記外調側熱交換器を通過する前記熱媒体の流量とに基づき、前記外調側熱交換器において熱交換の熱量を算出し、算出した熱量を、前記熱源側ユニット制御装置に送信する請求項２１に記載のエアハンドリングユニット。
【請求項２３】
前記外調側流量調整装置は開度を調整できる弁であり、  前記外調側熱量検出装置は、  前記外調側熱交換器に流入する前記熱媒体の圧力を検出する外調流入口側圧力センサと、  前記外調側熱交換器より流出する前記熱媒体の圧力を検出する外調流出口側圧力センサとを備え、  前記エアハンドリングユニット制御装置は、前記外調流入口側圧力センサの検出圧力と前記外調流出口側圧力センサの検出圧力の差圧と、前記外調側流量調整装置の開度と、に基づき前記外調側熱交換器を通過する前記熱媒体の流量を算出する請求項２２に記載のエアハンドリングユニット。
【請求項２４】
前記エアハンドリングユニット制御装置は、前記外調側熱交換器が必要とする熱量が前記外調側熱量検出装置で検出した熱量よりも大きく、前記外調側流量調整装置で調整可能な流量の上限に達している場合に、前記熱源側ユニットが前記熱媒体に供給する加熱量または冷却量を制御する熱源側ユニット制御装置へ前記熱媒体に供給する加熱量または冷却量の増加を要請する信号を送信する請求項２１〜請求項２３のいずれか一項に記載のエアハンドリングユニット。
【発明の詳細な説明】
【技術分野】
【０００１】  この発明は、空気調和装置およびエアハンドリングユニットに関するものである。特に、エアハンドリングユニットおよび室内ユニットを有する空気調和装置に関するものである。
【背景技術】
【０００２】  空気調和装置として、空調対象空間外の空気の湿度などを調整して、空調対象空間に供給するエアハンドリングユニット（外調機、ＡＨＵ：Ａｉｒ  Ｈａｎｄｌｉｎｇ  Ｕｎｉｔ）が用いられることがある。エアハンドリングユニットは、加熱または冷却した水などで熱供給を行うチラーのようなユニットと組み合わせて用いられることが多い。このとき、エアハンドリングユニットでは、水などにおける顕熱を利用して、熱負荷となる空調対象空間外の空気との熱交換が行われる。【０００３】  一方で、空調対象空間の空気の温度などを調整して、空調対象空間に供給する室内ユニットもある。室内ユニットは、冷媒を循環させる室外ユニットと配管接続されることが多い。このとき、室内ユニットでは、冷媒の潜熱などを利用して、熱負荷となる空調対象空間の空気との熱交換が行われる。また、室内ユニットおよびエアハンドリングユニットを組み合わせて構成した回路に、水などを循環させて空気調和を行う空気調和装置もある（たとえば、特許文献１参照）。
【先行技術文献】
【特許文献】
【０００４】
【特許文献１】実開平０５−０５４９２１号公報
【発明の概要】
【発明が解決しようとする課題】
【０００５】  しかし、前述した特許文献１では、室内ユニットとエアハンドリングユニットとは構成的に連携していない。このため、熱負荷への熱供給に対して、熱媒体への熱供給を多くしなければならなくなるなど、熱供給のバランスが悪くなり、エネルギが無駄に消費されることとなっていた。【０００６】  そこで、この発明は、上記のような課題を解決するため、省エネルギをはかることができる空気調和装置およびエアハンドリングユニットを得ることを目的とする。
【課題を解決するための手段】
【０００７】  この発明に係る空気調和装置は、熱を搬送する媒体となる熱媒体を加熱または冷却する熱源側ユニットと、建物内へ送風される室外空気と熱媒体との間で熱交換を行う外調側熱交換器と、室内空気と熱媒体との間で熱交換を行う室内側熱交換器とを配管接続して、熱媒体を循環させる熱媒体循環回路を備え、熱媒体循環回路において、熱源側ユニットで加熱または冷却された熱媒体の一部は、外調側熱交換器を通過してから室内側熱交換器に流入し、熱媒体循環回路には、外調側熱交換器を通過する熱媒体の流量を調整する外調側流量調整装置を備えるものである。
【発明の効果】
【０００８】  この発明では、熱媒体を循環して空気調和を行う熱媒体循環回路において、熱源側ユニットが加熱または冷却した熱媒体の流れに対して、熱交換に係る熱量の変化が少ない外調側熱交換器を通過してから室内側熱交換器に流入するようにしたことで、無駄なく熱供給を行うことができる。
【図面の簡単な説明】
【０００９】
【図１】この発明の実施の形態１に係る空気調和装置０の設置例の概略を示す図である。
【図２】この発明の実施の形態１に係る空気調和装置０の構成の一例を示す図である。
【図３】この発明の実施の形態１に係る空気調和装置０の熱媒体循環回路Ｂにおける熱媒体の流れの一例について説明する図である。
【図４】この発明の実施の形態１に係るエアハンドリングユニット制御装置４００が行う制御のフローチャートである。
【図５】この発明の実施の形態１に係る室内ユニット制御装置３００が行う制御のフローチャートである。
【図６】この発明の実施の形態１に係る空気調和装置０の連携制御のフローチャートである。
【図７】この発明の実施の形態２に係るエアハンドリングユニット制御装置４００が行う制御のフローチャートである。
【図８】この発明の実施の形態３に係る空気調和装置０の構成の一例を示す図である。
【図９】この発明の実施の形態３に係る空気調和装置０の連携制御のフローチャートである。
【図１０】この発明の実施の形態４に係る空気調和装置０の構成を示す図である。
【発明を実施するための形態】
【００１０】  以下、発明の実施の形態に係る空気調和装置について、図面などを参照しながら説明する。以下の図面において、同一の符号を付したものは、同一またはこれに相当するものであり、以下に記載する実施の形態の全文において共通することとする。また、図面では各構成部材の大きさの関係が実際のものとは異なる場合がある。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、圧力および温度の高低については、特に絶対的な値との関係で高低が定まっているものではなく、装置などにおける状態、動作などにおいて相対的に定まるものとする。また、添字で区別などしている複数の同種の機器などについて、特に区別したり、特定したりする必要がない場合には、添字などを省略して記載する場合がある。
【００１１】実施の形態１．  図１は、この発明の実施の形態１に係る空気調和装置０の設置例の概略を示す図である。図１に基づいて、実施の形態１に係る空気調和装置０の設置例について説明する。空気調和装置０は、熱源側冷媒を循環させる熱源側冷媒循環回路Ａおよび水などの熱媒体を循環させる熱媒体循環回路Ｂを備える。熱源側冷媒循環回路Ａを循環する冷媒は熱媒体循環回路Ｂ内の熱媒体を加熱または冷却する。さらに、加熱または冷却された熱媒体は冷房、暖房などにより空気調和を行う。
【００１２】  図１では、実施の形態１に係る空気調和装置０は、熱源機となる１台の室外ユニット１、室内機となる複数台の室内ユニット３（室内ユニット３ａ〜室内ユニット３ｃ）、エアハンドリングユニット（外調ユニット）４および中継ユニット２を有している。中継ユニット２は、熱源側冷媒循環回路Ａを循環する熱源側冷媒と熱媒体循環回路Ｂを循環する熱媒体との間の伝熱を中継するユニットである。室外ユニット１と中継ユニット２とは、熱源側冷媒の流路となる冷媒配管６で接続されている。ここで、１台の室外ユニット１に対して、複数台の中継ユニット２を並列に接続することもできる。なお、実施の形態１において、室外ユニット１および中継ユニット２がこの発明の熱源側ユニットに該当する。
【００１３】  また、空気調和装置０は、中継ユニット２、各室内ユニット３およびエアハンドリングユニット４の内部の配管または各ユニットを接続する配管であり、熱媒体の流路となる熱媒体配管５を有する。ここで、後述する図２に示すように、熱媒体配管５において、中継ユニット２内における配管を中継ユニット内配管５Ａとする。中継ユニット２とエアハンドリングユニット４との間を接続する配管を第１接続配管５Ｂとする。エアハンドリングユニット４内における配管を、エアハンドリングユニット内配管５Ｃとする。エアハンドリングユニット４と室内ユニット３との間を接続する配管を第２接続配管５Ｄとする。室内ユニット３内の配管を、室内ユニット内配管５Ｅ（室内ユニット内配管５Ｅａ〜室内ユニット内配管５Ｅｃ）とする。そして、中継ユニット２と室内ユニット３の間を接続する配管を第３接続配管５Ｆとする。また、第２接続配管５Ｄは、エアハンドリングユニット４と接続される１本の主配管５Ｄａと、主配管５Ｄａから分岐し、各室内ユニット３に接続される枝配管５Ｄｂを有する。また、第３接続配管５Ｆは、中継ユニット２と接続される１本の主配管５Ｆａと、主配管５Ｆａから分岐し、各室内ユニット３に接続される枝配管５Ｆｂを有する。そして、実施の形態１の熱媒体循環回路Ｂにおいては、後述する熱媒体熱交換器２１を起点として、熱源側冷媒循環回路Ａの伝熱により加熱または冷却された熱媒体の流れに対し、エアハンドリングユニット４が上流側となり、各室内ユニット３が下流側となるように配管接続されているものとする。
【００１４】  熱源側冷媒循環回路Ａを循環する熱源側冷媒としては、たとえば、Ｒ−２２、Ｒ−１３４ａなどの単一冷媒、Ｒ−４１０Ａ、Ｒ−４０４Ａなどの擬似共沸混合冷媒、Ｒ−４０７Ｃなどの非共沸混合冷媒を用いることができる。また、化学式内に二重結合を含む、ＣＦ３ＣＦ＝ＣＨ２などの地球温暖化係数が比較的小さい値とされている冷媒、その混合物、ＣＯ２、プロパンなどの自然冷媒などを用いることができる。
【００１５】  また、熱媒体循環回路Ｂを循環する熱媒体としては、たとえば、ブライン（不凍液）、水、ブラインと水との混合液、または防食効果が高い添加剤と水との混合液などを用いることができる。このように、実施の形態１の空気調和装置０では、安全性の高いものを熱媒体に使用することができる。このため、実施の形態１に係る空気調和装置０は、たとえば、熱媒体が室内ユニット３を介して空調対象空間に漏洩したとしても、安全である。また、ブライン（不凍液）、水、ブラインと水との混合液、または防食効果が高い添加剤と水との混合液は、上述の熱源側冷媒と比べて後述する外調側熱交換器４１および室内側熱交換器３１で熱交換を行っても相変化が生じ難い。
【００１６】  次に、図１に基づいて、空気調和装置０の動作について説明する。室外ユニット１は、冷媒配管６を通して中継ユニット２との間で熱源側冷媒を循環させる。このとき、熱源側冷媒は、後述する中継ユニット２内の熱媒体熱交換器２１を通過する際、熱媒体との間で熱交換を行う。熱媒体は、熱交換によって加熱または冷却される。実施の形態１においては、熱源側冷媒が加熱され、熱媒体が冷却されるものとする。
【００１７】  中継ユニット２において冷却された熱媒体は、後述するポンプ２２により、熱媒体配管５を通して、各室内ユニット３およびエアハンドリングユニット４との間で熱媒体を循環させる。このとき、熱媒体は、後述するエアハンドリングユニット４内の外調側熱交換器４１および室内ユニット３内の室内側熱交換器３１において、送風機により送られた空気との間で熱交換を行う。熱媒体との間で熱交換された空気は、空調対象空間の空気調和に供される。ここで、以下では、室内ユニット３とエアハンドリングユニット４とにおける空調対象空間が異なるものとする。このため、室内ユニット３が空気調和を行う対象となる空間を室内空間とし、室内空間の空気を室内空気として説明する。また、エアハンドリングユニット４において、空気調和を行う対象となる空間を、対象空間として説明する。ただし、室内空間と対象空間とが同じ空間であってもよい。
【００１８】  図２は、この発明の実施の形態１に係る空気調和装置０の構成の一例を示す図である。図２に基づいて、空気調和装置０が有する機器などの構成について説明する。前述したように、室外ユニット１と中継ユニット２とが、冷媒配管６で接続されている。また、中継ユニット２と各室内ユニット３およびエアハンドリングユニット４とが熱媒体配管５で接続されている。ここで、図２においては、３台の室内ユニット３が、熱媒体配管５を介して中継ユニット２と接続されている。ただし、室内ユニット３の接続台数は、３台に限定されない。
【００１９】［室外ユニット１］  まずは、室外ユニット１の構成について説明する。室外ユニット１は、熱源側冷媒循環回路Ａにおいて熱源側冷媒を循環させて熱を搬送し、中継ユニット２の熱媒体熱交換器２１において、熱媒体との熱交換を行わせるユニットである。実施の形態１においては、熱源側冷媒により冷熱を搬送させる。室外ユニット１は、筐体内に、圧縮機１０、熱源側熱交換器１２、絞り装置１３およびアキュムレータ１４を有している。圧縮機１０、冷媒流路切替装置１１、熱源側熱交換器１２およびアキュムレータ１４は、冷媒配管６で配管接続され、搭載されている。圧縮機１０は、熱源側冷媒を、吸入し、圧縮して、高温および高圧状態にして吐出する。ここで、圧縮機１０は、たとえば、容量制御可能なインバータ圧縮機などで構成するとよい。
【００２０】  熱源側熱交換器１２は、たとえば、熱源側送風機１５から供給される室外の空気と熱源側冷媒との間で熱交換を行う。暖房運転モードにおいては、蒸発器として機能し、熱源側冷媒に吸熱させる。また、冷房運転モードにおいては、凝縮器または放熱器として機能し、熱源側冷媒に放熱させる。また、絞り装置１３は、減圧弁、膨張弁として機能し、熱源側冷媒を減圧して膨張させる装置である。ここで、絞り装置１３は、たとえば、開度を任意の大きさに制御することができ、熱源側冷媒の流量などを任意に調整することができる電子式膨張弁などのような装置がよい。アキュムレータ１４は、圧縮機１０の吸入側に設けられている。アキュムレータ１４は、たとえば、暖房運転モードと冷房運転モードとで用いられる冷媒量の違い、運転が変化するときの過渡期などに生じる余剰冷媒を蓄える。ここで、アキュムレータ１４は、熱源側冷媒循環回路Ａに設置されない場合もある。
【００２１】  また、室外ユニット１は、室外ユニット制御装置１００を有している。室外ユニット制御装置１００は、少なくとも圧縮機１０の容量の制御を行う。また、室外ユニット制御装置１００は、絞り装置１３の開度、冷媒流路切替装置１１の流路、または熱源側送風機１５の風量を制御する構成を付加しても構わない。
【００２２】  また、室外ユニット１は、吐出温度センサ５０１、吐出圧力センサ５０２および室外温度センサ５０３を有している。吐出温度センサ５０１は、圧縮機１０が吐出する冷媒の温度を検出するセンサであり、検出した温度をデータに含む吐出温度検出信号を室外ユニット制御装置１００へ出力する。吐出圧力センサ５０２は、圧縮機１０が吐出する冷媒の圧力を検出するセンサであり、検出した圧力をデータに含む吐出圧力検出信号を室外ユニット制御装置１００へ出力する。室外温度センサ５０３は、室外ユニット１の周囲の温度となる室外ユニット側室外温度を検出するセンサであり、検出した温度を含む室外ユニット側室外温度検出信号を室外ユニット制御装置１００へ出力する。
【００２３】［中継ユニット２］  次に、中継ユニット２の構成について説明する。中継ユニット２は、熱源側冷媒循環回路Ａを循環する熱源側冷媒と熱媒体循環回路Ｂを循環する熱媒体との伝熱に係る機器を有するユニットである。中継ユニット２は、熱媒体熱交換器２１およびポンプ２２を有している。
【００２４】  熱媒体熱交換器２１は、熱源側冷媒と熱媒体との熱交換を行って、熱媒体を加熱または冷却する。熱媒体熱交換器２１は、熱媒体を加熱する場合には、凝縮器または放熱器として機能し、熱源側冷媒は熱媒体へ放熱する。また、熱媒体を冷却する場合には、蒸発器として機能し、熱源側冷媒は熱媒体から吸熱する。ポンプ２２は、熱媒体を吸引し、加圧して熱媒体循環回路Ｂを循環させる装置である。ここで、ポンプ２２は、容量制御を行うことができ、各室内ユニット３およびエアハンドリングユニット４における熱負荷の大きさによって、熱媒体循環回路Ｂを循環する熱媒体の流量を調整することができる。
【００２５】  中継ユニット２は、中継ユニット制御装置２００を有する。中継ユニット制御装置２００は、少なくともポンプ２２の容量の制御を行う。
【００２６】  中継ユニット２は、第１冷媒温度センサ５０４と、第２冷媒温度センサ５０５と、熱媒体流入口側温度センサ５１１と、熱媒体流出口側温度センサ５１２を有する。第１冷媒温度センサ５０４は、熱媒体を冷却する場合に熱媒体熱交換器２１に流入する熱源側冷媒および熱媒体を加熱する場合に熱媒体熱交換器２１より流出する熱源側冷媒の温度を検出するセンサであり、検出した温度をデータに含む第１冷媒温度検出信号を中継ユニット制御装置２００へ出力する。第２冷媒温度センサ５０５は、熱媒体を冷却する場合に熱媒体熱交換器２１より流出する熱源側冷媒および熱媒体を加熱する場合に熱媒体熱交換器２１へ流入する熱源側冷媒の温度を検出するセンサであり、検出した温度をデータに含む第２冷媒温度検出信号を中継ユニット制御装置２００へ出力する。熱媒体流入口側温度センサ５１１は、熱媒体熱交換器２１へ流入する熱媒体の温度を検出するセンサであり、検出した温度をデータに含む熱媒体流入温度検出信号を中継ユニット制御装置２００へ出力する。熱媒体流出口側温度センサ５１２は、熱媒体熱交換器２１より流出する熱媒体の温度を検出するセンサであり、検出した温度をデータに含む熱媒体流出温度検出信号を中継ユニット制御装置２００へ出力する。
【００２７】［室内ユニット３］  次に室内ユニット３の構成について説明する。室内ユニット３は、空調対象空間内の空気を調和して空調対象空間に送るユニットである。実施の形態１における各室内ユニット３は、筐体内に、室内側熱交換器３１（室内側熱交換器３１ａ〜室内側熱交換器３１ｃ）、室内側流量調整装置３２（室内側流量調整装置３２ａ〜室内側流量調整装置３２ｃ）および室内側送風機３３（室内側送風機３３ａ〜室内側送風機３３ｃ）を有している。室内側熱交換器３１および室内側流量調整装置３２は、熱媒体循環回路Ｂを構成する機器となる。
【００２８】  室内側流量調整装置３２は、たとえば、弁の開度（開口面積）を制御することができる二方弁などで構成されている。室内側流量調整装置３２は、開度を調整することで、室内側熱交換器３１を流入出する熱媒体の流量を制御する。そして、室内側流量調整装置３２は、室内ユニット３へ流入する熱媒体の温度および流出する熱媒体の温度に基づいて、室内側熱交換器３１を通過させる熱媒体の量を調整し、室内側熱交換器３１が、室内の熱負荷に応じた熱量による熱交換を行えるようにする。ここで、室内側流量調整装置３２は、停止、後述するサーモオフなどのときのように、室内側熱交換器３１が熱負荷との熱交換をする必要がないときは、弁を全閉にして、室内側熱交換器３１に熱媒体が流入出しないように供給を止めることができる。図２において、室内側流量調整装置３２は、室内側熱交換器３１の熱媒体流出側の配管に設置されているが、これに限定するものではない。たとえば、室内側流量調整装置３２が、室内側熱交換器３１の熱媒体流入側に設置されてもよい。
【００２９】  また、室内側熱交換器３１は、たとえば、伝熱管およびフィンを有する。そして、室内側熱交換器３１の伝熱管内を熱媒体が通過する。室内側熱交換器３１は、室内側送風機３３から供給される室内空間の空気と熱媒体との間で熱交換を行う。空気よりも冷たい熱媒体が伝熱管内を通過すれば、空気は冷却され、室内空間は冷房される。室内側送風機３３は、室内空間の空気を室内側熱交換器３１に通過させ、室内空間に戻す空気の流れを生成する。
【００３０】  また、各室内ユニット３は、室内ユニット制御装置３００（室内ユニット制御装置３００ａ〜室内ユニット制御装置３００ｃ）を有している。室内ユニット制御装置３００は、少なくとも室内側流量調整装置３２の開度の制御を行う。また、室内ユニット制御装置３００は、室内側送風機３３の風量を制御する構成を付加しても構わない。
【００３１】  また、各室内ユニット３は、室内流入口側温度センサ５１３（室内流入口側温度センサ５１３ａ〜室内流入口側温度センサ５１３ｃ）と、室内流出口側温度センサ５１４（室内流出口側温度センサ５１４ａ〜室内流出口側温度センサ５１４ｃ）と、室内流入口側圧力センサ５２１（室内流入口側圧力センサ５２１ａ〜室内流入口側圧力センサ５２１ｃ）と、室内流出口側圧力センサ５２２（室内流出口側圧力センサ５２２ａ〜室内流出口側圧力センサ５２２ｃ）と、室内温度センサ５３１（室内温度センサ５３１ａ〜室内温度センサ５３１ｃ）を有している。  各室内流入口側温度センサ５１３は、室内側熱交換器３１に流入する熱媒体の温度を検出するセンサであり、検出した温度をデータに含む室内流入側温度検出信号を室内ユニット制御装置３００へ出力する。各室内流出口側温度センサ５１４は、室内側熱交換器３１から流出する熱媒体の温度を検出するセンサであり、検出した温度をデータに含む室内流出側温度検出信号を室内ユニット制御装置３００へ出力する。各室内流入口側圧力センサ５２１は、室内側流量調整装置３２に流入する熱媒体の圧力を検出するセンサであり、検出した圧力をデータに含む室内流入側圧力検出信号を室内ユニット制御装置３００へ出力する。各室内流出口側圧力センサ５２２は、室内側流量調整装置３２から流出する熱媒体の圧力を検出するセンサであり、検出した圧力をデータに含む室内流出側圧力検出信号を室内ユニット制御装置３００へ出力する。各室内温度センサ５３１は、室内側熱交換器３１で熱媒体と熱交換を行う室内空気の温度を検出するセンサであり、検出した温度をデータに含む室内温度検出信号を室内ユニット制御装置３００へ出力する。
【００３２】［エアハンドリングユニット４］  エアハンドリングユニット４は、対象空間外の空気（以下、外気という）を調和して対象空間に送る外調機である。エアハンドリングユニット４は、たとえば、湿度の調整を行って外気を対象空間に送ることができる。エアハンドリングユニット４は、エアハンドリングユニット内配管５Ｃ、外調側熱交換器４１、外調側流量調整装置４２、バイパス配管４４、バイパス側流量調整装置４５および外調側送風機４３を有している。また、エアハンドリングユニット４には、中継ユニット２から加熱または冷却された熱媒体が流入する流入口４ａと、外調側熱交換器を通過した熱媒体が流出する流出口４ｂが形成されている。また、エアハンドリングユニット内配管５Ｃは、流入口４ａと外調側熱交換器４１を接続する往路配管５Ｃａと、外調側熱交換器４１と流出口４ｂを接続する復路配管５Ｃｂとで構成される。外調側熱交換器４１は、伝熱管内を通過する熱媒体と伝熱管外を通過する外気とを熱交換する。
【００３３】  外調側流量調整装置４２は、たとえば、弁の開度（開口面積）を制御することができる二方弁などで構成されている。外調側流量調整装置４２は、開度を調整することで、外調側熱交換器４１を流入出する熱媒体の流量を制御する。外調側流量調整装置４２は、外調側熱交換器４１において熱交換される熱量を多くするときには、開度を大きくする制御がなされ、外調側熱交換器４１において熱交換される熱量を少なくするときには、開度を小さくする制御がなされる。ここで、外調側流量調整装置４２は、外調側熱交換器４１において、熱負荷となる外気との熱交換をする必要がないときは、弁を全閉にして、外調側熱交換器４１に熱媒体が流入出しないように供給を止めることができる。
【００３４】  また、バイパス配管４４は、外調側熱交換器４１と並列し、往路配管５Ｃａと復路配管５ｃｂとを接続する配管である。バイパス配管４４は、熱媒体循環回路Ｂにおいて、外調側熱交換器４１に熱媒体を通過させずにバイパスさせる。さらに、バイパス側流量調整装置４５は、開度を調整することで、バイパス配管４４を通過する熱媒体の流量を制御する。そして、外調側送風機４３は、外気を外調側熱交換器４１に通過させ、対象空間に送る空気の流れを生成する。
【００３５】  また、エアハンドリングユニット４は、エアハンドリングユニット制御装置４００を有している。エアハンドリングユニット制御装置４００は、少なくとも外調側流量調整装置４２の開度の制御を行う。また、エアハンドリングユニット制御装置４００は、バイパス側流量調整装置４５の開度、または外調側送風機４３の風量を制御する構成を付加しても構わない。
【００３６】  さらに、エアハンドリングユニット制御装置４００は、あらかじめ定められた外調側設定温度を記憶している。エアハンドリングユニット制御装置４００は、対象空間の温度が外調側設定温度に到達するように制御を行う。なお、外調側設定温度は、たとえばリモコンなどの入力機器よりユーザーによってあらかじめ定められてもよいし、エアハンドリングユニット４の施工時にあらかじめ定められてもよい。また、外調側設定温度は、外気を冷却する場合と外気を加熱する場合で異なる値に定められていてもよい。
【００３７】  また、エアハンドリングユニット４は、外調流入口側温度センサ５１５と、外調流出口側温度センサ５１６と、外調流入口側圧力センサ５２３と、外調流出口側圧力センサ５２４と、外気温度センサ５３２を有している。外調流入口側温度センサ５１５は、外調側熱交換器４１に流入する熱媒体の温度を検出するセンサであり、検出した温度をデータに含む室内流入側温度検出信号を室内ユニット制御装置３００へ出力する。各室内流出口側温度センサ５１４は、室内側熱交換器３１から流出する熱媒体の温度を検出するセンサであり、検出した温度をデータに含む室内流出側温度検出信号をエアハンドリングユニット制御装置４００へ出力する。各室内流入口側圧力センサ５２１は、室内側流量調整装置３２に流入する熱媒体の圧力を検出するセンサであり、検出した圧力をデータに含む室内流入側圧力検出信号をエアハンドリングユニット制御装置４００へ出力する。各室内流出口側圧力センサ５２２は、室内側流量調整装置３２から流出する熱媒体の圧力を検出するセンサであり、検出した圧力をデータに含む室内流出側圧力検出信号をエアハンドリングユニット制御装置４００へ出力する。外気温度センサ５３２は、外調側熱交換器４１で熱媒体と熱交換される外気の温度を検出するセンサであり、検出した温度をデータに含む外気温度検出信号をエアハンドリングユニット制御装置４００へ出力する。
【００３８】  なお、後述するようにエアハンドリングユニット制御装置４００は、外調流入口側温度センサ５１５と、外調流出口側温度センサ５１６と、外調流入口側圧力センサ５２３と、外調流出口側圧力センサ５２４の検出値に基づいて外調側熱交換器４１において熱交換される熱量を算出する。したがって、エアハンドリングユニット制御装置４００と、外調流入口側温度センサ５１５と、外調流出口側温度センサ５１６と、外調流入口側圧力センサ５２３と、外調流出口側圧力センサ５２４が、この発明の外調側熱量検出装置に該当する。
【００３９】  図２に示すように、室外ユニット制御装置１００と、中継ユニット制御装置２００と、室内ユニット制御装置３００と、エアハンドリングユニット制御装置４００は、それぞれ無線または有線で通信可能に接続されており、他の制御装置との間で、各種データを含む信号を通信することができる。なお、図２において室外ユニット制御装置１００と、室内ユニット制御装置３００と、エアハンドリングユニット制御装置４００はそれぞれ中継ユニット制御装置２００を介して通信可能に接続されているが、これに限らず、室外ユニット制御装置１００と室内ユニット制御装置３００とエアハンドリングユニット制御装置４００が直接通信可能に接続されていてもよい。なお、室外ユニット制御装置１００または中継ユニット制御装置２００が、この発明の熱源側ユニット制御装置に該当する。
【００４０】  ここで、空気調和装置０の熱源側冷媒循環回路Ａ側の構成機器における動作などについて、熱源側冷媒循環回路Ａを循環する熱源側冷媒の流れに基づいて説明する。まず、熱媒体を冷却する場合について説明する。圧縮機１０は、熱源側冷媒を吸入し、圧縮して高温および高圧の状態にして吐出する。吐出された熱源側冷媒は、冷媒流路切替装置１１を介して熱源側熱交換器１２へ流入する。熱源側熱交換器１２は、熱源側送風機１５により供給される空気と熱源側冷媒との間で熱交換を行い、熱源側冷媒を凝縮液化させる。凝縮液化された熱源側冷媒は、絞り装置１３を通過する。絞り装置１３は、通過する凝縮液化した熱源側冷媒を減圧する。減圧された熱源側冷媒は、室外ユニット１から流出し、冷媒配管６を通過して、中継ユニット２の熱媒体熱交換器２１に流入する。熱媒体熱交換器２１は、通過する熱源側冷媒と熱媒体との間で熱交換を行い、熱源側冷媒を蒸発ガス化させる。このとき、熱媒体は冷却される。熱媒体熱交換器２１から流出した熱源側冷媒は、中継ユニット２から流出し、冷媒配管６を通過して、室外ユニット１に流入する。そして、冷媒流路切替装置１１を再度通過した蒸発ガス化した熱源側冷媒を圧縮機１０が吸入する。
【００４１】  次に、熱媒体を加熱する場合について説明する。圧縮機１０は、熱源側冷媒を吸入し、圧縮して高温および高圧の状態にして吐出する。吐出された熱源側冷媒は、冷媒流路切替装置１１を介して、室外ユニット１から流出し、冷媒配管６を通過して、中継ユニット２の熱媒体熱交換器２１に流入する。熱媒体熱交換器２１は、通過する熱源側冷媒と熱媒体との間で熱交換を行い、熱源側冷媒を凝縮液化させる。このとき、熱媒体は加熱される。凝縮液化された熱源側冷媒は、熱媒体熱交換器２１から流出した熱源側冷媒は、中継ユニット２から流出し、冷媒配管６を通過して、室外ユニット１の絞り装置１３を通過する。絞り装置１３は、通過する凝縮液化した熱源側冷媒を減圧する。減圧された熱源側冷媒は、熱源側熱交換器１２へ流入する。熱源側熱交換器１２は、熱源側送風機１５により供給される空気と熱源側冷媒との間で熱交換を行い、熱源側冷媒を蒸発ガス化させる。そして、冷媒流路切替装置１１を再度通過した蒸発ガス化した熱源側冷媒を圧縮機１０が吸入する。
【００４２】  さらに、空気調和装置０の熱媒体循環回路Ｂ側の構成機器における動作などについて、熱媒体循環回路Ｂを循環する熱媒体の流れに基づいて説明する。図３は、この発明の実施の形態１に係る空気調和装置０の熱媒体循環回路Ｂにおける熱媒体の流れの一例について説明する図である。ここでは、冷却された熱媒体を循環させる場合について説明する。ここで、温度の具体的数値は、一例であって、これに限定するものではない。
【００４３】  ポンプ２２が駆動することにより熱媒体循環回路Ｂにおける熱媒体の流れが形成される。ポンプ２２により加圧された熱媒体は、熱媒体熱交換器２１に流入し、熱媒体熱交換器２１において熱源側冷媒と熱交換を行い、冷却される。ここでは説明のため、熱媒体熱交換器２１を通過した熱媒体の温度は７℃に冷却されるものとする。
【００４４】  熱媒体熱交換器２１で冷却された熱媒体は中継ユニット２から流出し、第１接続配管５Ｂを介してエアハンドリングユニット４へ流入する。エアハンドリングユニット４へ流入した熱媒体は、外調側熱交換器４１またはバイパス配管４４のいずれかを通過する。外調側熱交換器４１を通過した熱媒体は外気と熱交換を行い、外気から熱を吸収することで温度が上がる。また、熱媒体と熱交換した外気は温度が下がり、冷却および除湿される。対して、バイパス配管４４を通過した熱媒体は外気と熱交換は行われず、熱媒体の温度は変化しない。外調側熱交換器４１を通過した熱媒体とバイパス配管４４を通過した熱媒体は復路配管５Ｃｂで合流し、エアハンドリングユニット４から流出する。したがって、エアハンドリングユニット４から流出する熱媒体の温度は、外調側熱交換器４１を通過した熱媒体の温度よりも下がる。ここでは説明のため、エアハンドリングユニット４から流出する熱媒体の温度は１２℃とする。
【００４５】  エアハンドリングユニット４から流出した熱媒体は第２接続配管５Ｄを介して室内ユニット３ａ〜室内ユニット３ｃのいずれかに流入する。室内ユニット３ａ〜室内ユニット３ｃに流入した熱媒体は各室内ユニット内配管５Ｅと各室内側熱交換器３１を通過する。室内側熱交換器３１を通過した熱媒体は室内空気と熱交換を行い、室内空気より熱を吸収することで温度が上がる。また、熱媒体と熱交換した室内空気は温度が下がり、冷却される。各室内側熱交換器３１を通過した熱媒体は室内ユニット３ａ〜室内ユニット３ｃより流出し、第３接続配管５Ｆへ流れる。第３接続配管５Ｆで、各室内側熱交換器３１を通過した熱媒体は合流する。合流した熱媒体は各室内側熱交換器３１で温度が上がっている。ここでは説明のため、合流した熱媒体の温度は１５℃とする。
【００４６】  第３接続配管５Ｆで合流した熱媒体は、中継ユニット２へ流入し、再びポンプ２２により加圧されて熱媒体熱交換器２１へ流入する。
【００４７】  たとえば、外気との熱交換を行うエアハンドリングユニット４では、外気の除湿を行って空調対象空間に供給する場合がある。このとき、熱媒体は、外気の露点温度よりも低い温度でエアハンドリングユニット４の外調側熱交換器４１を通過し、外気に伝熱する必要がある。一方、室内空間の冷房に用いる熱媒体の温度は、エアハンドリングユニット４が必要とする熱媒体の温度より高くてもよい場合が多い。そこで、実施の形態１の熱媒体循環回路Ｂにおいて、熱媒体熱交換器２１で冷却された熱媒体は、エアハンドリングユニット４を通過してから室内ユニット３に流れるように構成されているため、室内ユニット３を通過してからエアハンドリングユニットを通過する場合に比べて、室内ユニット３よりも冷却量が多く必要なエアハンドリングユニット４で冷却量が不足するような自体が生じにくくなる。
【００４８】  また、加熱された熱媒体を循環させる場合であっても、熱媒体循環回路Ｂを循環する熱媒体の流れは図３と同じである。ただし、加熱された熱媒体を循環させる場合では、熱媒体は熱媒体熱交換器２１で熱源側冷媒によって加熱され、室内側熱交換器３１と外調側熱交換器４１では室内空気または外気に熱を与えて温度が下がる。したがって、熱源側冷媒循環回路Ａからの伝熱により加熱された熱媒体の流れに対して、エアハンドリングユニット４が上流側となり、各室内ユニット３が下流側となる。外気を加熱する場合には、除湿は行われないため、各室内ユニット３よりも熱媒体の温度が高くなくもてよい場合がある。ただ、エアハンドリングユニット４において、熱媒体と熱交換される外気は、急激な温度変化がない。また、対象空間の温度の変化も少ない。したがって、各室内ユニット３側に流れる熱媒体の温度を安定させることができる。このため、熱媒体循環回路Ｂにおいて、冷却だけでなく、加熱された熱媒体を循環させる場合も、エアハンドリングユニット４が上流側に位置する方がよい。
【００４９】  次に、実施の形態１におけるエアハンドリングユニット制御装置４００が行う制御について説明する。図４は、この発明の実施の形態１に係るエアハンドリングユニット制御装置４００が行う制御のフローチャートである。
【００５０】  まず、ステップＳ１０１において、エアハンドリングユニット制御装置４００は、外気と熱媒体との間で熱交換を行う必要があるか否かを判断する。たとえば、エアハンドリングユニット４が、冷房、除湿など外気を冷却する運転を行っている場合には、外気温度が外調側設定温度よりも高いと熱交換を行う必要があると判断し、外気温度が外調側設定温度以下であると熱交換を行う必要がないと判断する。また、エアハンドリングユニット４が、暖房など外気を加熱する運転を行っている場合には、外気温度が外調側設定温度よりも低いと熱交換を行う必要があると判断し、外気温度が外調側設定温度以上であると熱交換を行う必要がないと判断する。なお、判断に用いられる外気の温度は、外気温度センサ５３２の検出に係る温度が用いられる。
【００５１】  エアハンドリングユニット制御装置４００が熱交換を行う必要がないと判断した場合（ステップＳ１０１  Ｎｏ）は、ステップＳ１０２へ進む。ステップＳ１０２では、エアハンドリングユニット制御装置４００は、熱媒体が外調側熱交換器４１を通過しないように制御する。具体的には、エアハンドリングユニット制御装置４００は、外調側流量調整装置４２を全閉に制御する。そして、ステップＳ１０２の処理の後、図４の制御に係る処理を終了する。
【００５２】  エアハンドリングユニット制御装置４００が熱交換を行う必要があると判断した場合（ステップＳ１０１  Ｙｅｓ）は、ステップＳ１０３およびステップＳ１０４へ進む。ステップＳ１０３では、エアハンドリングユニット制御装置４００は、外調側必要熱量Ｔａｎを算出する。外調側必要熱量Ｔａｎは、外気温度が外調側設定温度に到達するために必要な熱量である。たとえば、エアハンドリングユニット４が外気を冷却する運転を行っている場合は、外気空気を外調側設定温度まで冷却するために必要な冷却量であり、エアハンドリングユニット４が外気を加熱する運転を行っている場合は、外気空気を外調側設定温度まで加熱するために必要な加熱量である。外調側必要熱量Ｔａｎは、外気温度と外調側設定温度の差に基づいて算出され、外気温度と外調側設定温度との差が小さくなれば外調側必要熱量Ｔａｎは小さくなり、外気温度と外調側設定温度の差が大きくなれば外調側必要熱量Ｔａｎは大きくなる。
【００５３】  さらに、ステップＳ１０４では、エアハンドリングユニット制御装置４００は、外調側熱交換器４１で熱交換される熱量Ｔａを算出する。熱媒体は外調側熱交換器４１において相変化しないため、外調側熱交換器４１で熱交換される熱量Ｔａは、外調側熱交換器４１に流入する熱媒体の温度と外調側熱交換器４１より流出する熱媒体の温度との温度差と、外調側熱交換器４１を通過する熱媒体の流量とに基づいて算出することができる。また、外調側熱交換器４１を通過する熱媒体の流量は、外調側熱交換器４１に流入する熱媒体の圧力と外調側熱交換器４１より流出する熱媒体の圧力との差圧および外調側流量調整装置４２のＣｖ値に基づいて算出することができる。なお、Ｃｖ値とは、所定の差圧で弁を通過する流体の流量を算出するための計数であり、同一の弁かつ同一の熱媒体であれば、弁の開度によってＣｖ値は定まる。したがって、エアハンドリングユニット制御装置４００は、外調流入口側温度センサ５１５の検出温度と、外調流出口側温度センサ５１６の検出温度と、外調流入口側圧力センサ５２３の検出圧力と、外調流出口側圧力センサ５２４の検出圧力と、外調側流量調整装置４２の開度とに基づき外調側熱交換器４１で熱交換される熱量Ｔａを算出する。
【００５４】  ステップＳ１０３およびステップＳ１０４の処理が終了した後、ステップＳ１０５へ進む。ステップＳ１０５では、エアハンドリングユニット制御装置４００は、ステップＳ１０３で算出した外調側必要熱量ＴａｎがステップＳ１０２で算出した熱量Ｔａよりも大きいか否かを判断する。
【００５５】  ステップＳ１０５でエアハンドリングユニット制御装置４００がステップＳ１０３で算出した外調側必要熱量Ｔａｎが、ステップＳ１０４で算出した熱量Ｔａよりも大きいと判断した場合（ステップＳ１０５  Ｙｅｓ）は、ステップＳ１０６へ進む。ステップＳ１０６では、エアハンドリングユニット制御装置４００は、外調側熱交換器４１に流入する熱媒体の流量をステップＳ１０４における流量よりも多くするように制御する。具体的には、外調側流量調整装置４２の開度をステップＳ１０４時点における外調側熱交換器４１で熱交換される熱量Ｔａを算出するために用いた開度よりも大きくするように制御を行う方法、バイパス側流量調整装置４５の開度をステップＳ１０４における開度よりも小さくするように制御を行う方法、またはその２つの制御の両方を行う方法が挙げられる。ステップＳ１０６の処理後、図４の制御に係る処理を終了する。
【００５６】  ステップＳ１０５で、エアハンドリングユニット制御装置４００が、ステップＳ１０３で算出した外調側必要熱量ＴａｎがステップＳ１０４で算出した熱量Ｔａ以下と判断した場合（ステップＳ１０５  Ｎｏ）は、ステップＳ１０７へ進む。ステップＳ１０７では、エアハンドリングユニット制御装置４００は、ステップＳ１０３で算出した外調側必要熱量ＴａｎがステップＳ１０４で算出した熱量Ｔａより小さいか否かを判断する。
【００５７】  ステップＳ１０７で、エアハンドリングユニット制御装置４００が、ステップＳ１０３で算出した外調側必要熱量ＴａｎがステップＳ１０４で算出した熱量Ｔａより小さいと判断した場合（ステップＳ１０７  Ｙｅｓ）は、ステップＳ１０８へ進む。ステップＳ１０８では、エアハンドリングユニット制御装置４００は、外調側熱交換器４１に流入する熱媒体の流量をステップＳ１０４の時点の流量よりも少なくするように制御する。具体的には、外調側流量調整装置４２の開度をステップＳ１０４時点における外調側熱交換器４１で熱交換される熱量Ｔａを算出するために用いた開度よりも小さくするように制御を行う方法、バイパス側流量調整装置４５の開度をステップＳ１０４における開度よりも大きくするように制御を行う方法、またはその２つの制御の両方を行う方法が挙げられる。ステップＳ１０８の処理を行って制御した後、図４の制御に係る処理を終了する。
【００５８】  ステップＳ１０７で、エアハンドリングユニット制御装置４００が、ステップＳ１０３で算出した外調側必要熱量ＴａｎがステップＳ１０４で算出した熱量Ｔａ以上と判断した場合（ステップＳ１０７  Ｎｏ）は、換言すると、ステップＳ１０３で算出した外調側必要熱量ＴａｎとステップＳ１０４で算出した熱量Ｔａが等しい場合である。したがって、外調側流量調整装置４２の開度は変更せず、図４の制御に係る処理を終了する。
【００５９】  なお、図４のフローチャートにおいて、外気温度と外調側設定温度との差が大きくなると、外調側熱交換器に流れる熱媒体の流量は増加する。これは、外気温度と外調側設定温度との差が大きくなるほど、外調側必要熱量Ｔａｎも大きくなり、ステップＳ１０５の条件を満たす熱量Ｔａの範囲も広くなるため、ステップＳ１０６で外調側熱交換器に流れる熱媒体の流量が増加するためである。
【００６０】  次に、実施の形態１における室内ユニット制御装置３００が行う制御について説明する。図５は、この発明の実施の形態１に係る室内ユニット制御装置３００が行う制御のフローチャートである。
【００６１】  まず、ステップＳ２０１において、室内ユニット制御装置３００は、室内空気と熱媒体との間で熱交換を行う必要があるか否かを判断する。たとえば、室内ユニット３が冷房または除湿など室内空気を冷却する運転を行っている場合には、室内空気の温度が室内側設定温度よりも高いと熱交換を行う必要があると判断し、室内空気の温度が室内側設定温度以下であると熱交換を行う必要がないと判断する。また、室内ユニット３が暖房など室内空気を加熱する運転を行っている場合には、室内空気の温度が室内側設定温度よりも低いと熱交換を行う必要があると判断し、室内空気の温度が室内側設定温度以上であると熱交換を行う必要がないと判断する。なお、判断に用いられる室内空気の温度は、室内温度センサ５３１の検出に係る温度が用いられる。
【００６２】  室内ユニット制御装置３００が熱交換を行う必要がないと判断した場合（ステップＳ２０１  Ｎｏ）は、ステップＳ２０２へ進む。ステップＳ２０２では、室内ユニット制御装置３００は、室内ユニット３をサーモオフ状態に制御する。サーモオフ状態とは、室内側熱交換器３１において、熱媒体と室内空気とが熱交換を行わない状態のことであり、たとえば、室内側流量調整装置３２を全閉として熱媒体が室内側熱交換器３１を通過しない状態、または室内側送風機３３を停止させ室内空気が室内側熱交換器３１に送風されない状態である。ステップＳ２０２の処理後、図５の制御に係る処理を終了する。
【００６３】  室内ユニット制御装置３００が熱交換を行う必要があると判断した場合（ステップＳ２０１  Ｙｅｓ）は、ステップＳ２０３およびステップＳ２０４へ進む。ステップＳ２０３では、室内ユニット制御装置３００は、室内側必要熱量Ｔｉｎを算出する。室内側必要熱量Ｔｉｎは、室内ユニット３が室内空気を室内側設定温度に到達させるために必要な熱量であり、たとえば、室内ユニット３が室内空気を冷却する運転を行っている場合は室内空気を室内側設定温度まで冷却するために必要な冷却量であり、室内ユニット３が室内空気を加熱する運転を行っている場合は室内空気を室内側設定温度まで加熱するために必要な加熱量である。室内側必要熱量Ｔｉｎは、室内空気の温度と室内側設定温度の差に基づき算出され、室内空気の温度と室内側設定温度の差が小さくなれば室内側必要熱量Ｔｉｎは小さくなり、室内空気の温度と室内側設定温度の差が大きくなれば室内側必要熱量Ｔｉｎは大きくなる。
【００６４】  さらに、ステップＳ２０４では、室内ユニット制御装置３００は、室内側熱交換器３１で熱交換される熱量Ｔｉを算出する。熱媒体は、室内側熱交換器３１において相変化しないため、室内側熱交換器３１で熱交換される熱量Ｔｉは、室内側熱交換器３１に流入する熱媒体の温度と室内側熱交換器３１より流出する熱媒体の温度との温度差および室内側熱交換器３１を通過する熱媒体の流量に基づいて算出することができる。また、室内側熱交換器３１を通過する熱媒体の流量は、室内側熱交換器３１に流入する熱媒体の圧力と室内側熱交換器３１より流出する熱媒体の圧力との差圧および室内側流量調整装置３２のＣｖ値に基づいて算出することができる。つまり、室内ユニット制御装置３００は、室内流入口側温度センサ５１３の検出温度と、室内流出口側温度センサ５１４の検出温度と、室内流入口側圧力センサ５２１の検出圧力と、室内流出口側圧力センサ５２２の検出圧力と、室内側流量調整装置３２の開度とに基づいて室内側熱交換器３１で熱交換される熱量Ｔｉを算出する。
【００６５】  ステップＳ２０３およびステップＳ２０４の処理が終了した後、ステップＳ２０５へ進む。ステップＳ２０５では、室内ユニット制御装置３００は、ステップＳ２０３で算出した室内側必要熱量ＴｉｎがステップＳ２０４で算出した熱量Ｔｉよりも大きいか否かを判断する。
【００６６】  ステップＳ２０５で、室内ユニット制御装置３００が、ステップＳ２０３で算出した室内側必要熱量Ｔｉｎが、ステップＳ２０４で算出した熱量Ｔｉよりも大きいと判断した場合（ステップＳ２０５  Ｙｅｓ）は、ステップＳ２０６へ進む。ステップＳ２０６では、室内ユニット制御装置３００は、室内側熱交換器３１に流入する熱媒体の流量をステップＳ２０４の時点の流量よりも大きくするように制御する。具体的には、室内ユニット制御装置３００は、室内側流量調整装置３２の開度をステップＳ２０４時点の開度よりも大きくするように制御する。ステップＳ２０６の処理後、図５の制御に係る処理を終了する。
【００６７】  ステップＳ２０５で、室内ユニット制御装置３００が、ステップＳ２０３で算出した室内側必要熱量Ｔｉｎが、ステップＳ２０４で算出した熱量Ｔｉ以下と判断した場合（ステップＳ２０５  Ｎｏ）は、ステップＳ２０７へ進む。ステップＳ２０７では、室内ユニット制御装置３００は、ステップＳ２０３で算出した室内側必要熱量ＴｉｎがステップＳ２０４で算出した熱量Ｔｉより小さいか否かを判断する。
【００６８】  ステップＳ２０７で、室内ユニット制御装置３００が、ステップＳ２０３で算出した室内側必要熱量ＴｉｎがステップＳ２０４で算出した熱量Ｔｉより小さいと判断した場合（ステップＳ２０７  Ｙｅｓ）は、ステップＳ２０８へ進む。ステップＳ２０８では、室内ユニット制御装置３００は、室内側熱交換器３１に流入する熱媒体の流量をステップＳ２０４の時点の流量よりも小さくするように制御する。具体的には、室内ユニット制御装置３００は室内側流量調整装置３２の開度をステップＳ２０４時点の開度よりも小さくするように制御する。ステップＳ２０８の処理後、図５の制御に係る処理を終了する。
【００６９】  ステップＳ２０７で、室内ユニット制御装置３００が、ステップＳ２０３で算出した室内側必要熱量ＴｉｎがステップＳ２０４で算出した熱量Ｔｉ以上と判断した場合（ステップＳ２０７  Ｎｏ）は、換言すると、ステップＳ２０３で算出した室内側必要熱量ＴｉｎとステップＳ２０４で算出した熱量Ｔｉが等しい場合である。したがって、室内側流量調整装置３２の開度は変更せず、図５の制御に係る処理を終了する。
【００７０】  なお、空気調和装置０が複数の室内ユニット３を有する場合は、図５のフローチャートの制御は、各室内ユニット３で実行される。つまり、実施の形態１における空気調和装置０において、室内ユニット３ａ、３ｂ、３ｃのそれぞれの室内ユニット制御装置３００で図５のフローチャートの制御が実行される。
【００７１】  次に、室外ユニット１と、中継ユニット２と、室内ユニット３と、エアハンドリングユニット４の連携制御について説明する。図６は、この発明の実施の形態１に係る空気調和装置０の連携制御のフローチャートである。
【００７２】  まず、ステップＳ３０１ａでは、エアハンドリングユニット制御装置４００は、外調側必要熱量Ｔａｎを算出する。外調側必要熱量Ｔａｎの算出方法は、ステップＳ１０３と同様の方法で算出を行い、ステップＳ１０３で算出した値を用いてもよい。
【００７３】  ステップＳ３０２ａでは、エアハンドリングユニット制御装置４００は、外調側熱交換器４１の熱量Ｔａを算出する。外調側熱交換器４１で熱交換される熱量Ｔａを算出方法はステップＳ１０４と同様の方法で算出を行い、ステップＳ１０４で算出した値を用いてもよい。
【００７４】  ステップＳ３０１ａおよびステップＳ３０２ａの処理が終了すると、ステップＳ３０３ａへ進む。ステップＳ３０３ａでは、エアハンドリングユニット制御装置４００はステップＳ３０１ａで算出した外調側必要熱量Ｔａｎに関するデータと、ステップＳ３０２ａで算出した外調側熱交換器４１で熱交換される熱量Ｔａに関するデータとを含む信号を中継ユニット制御装置２００へ送信する。ステップＳ３０３ａの処理後、エアハンドリングユニット制御装置４００は、図６の連携制御に係る処理を終了する。
【００７５】  また、ステップＳ３０１ｃでは、室内ユニット制御装置３００は、室内側必要熱量Ｔｉｎを算出する。室内側必要熱量Ｔｉｎの算出方法は、ステップＳ２０３と同様の方法で算出を行い、ステップＳ２０３で算出した値を用いてもよい。
【００７６】  ステップＳ３０２ｃでは、室内ユニット制御装置３００は、室内側熱交換器３１で熱交換される熱量Ｔｉを算出する。室内側熱交換器３１で熱交換される熱量Ｔｉの算出方法は、ステップＳ２０４と同様の方法で算出を行い、ステップＳ２０４で算出した値を用いてもよい。
【００７７】  ステップＳ３０１ｃおよびステップＳ３０２ｃの処理が終了すると、ステップＳ３０３ｃへ進む。ステップＳ３０３ｃでは、室内ユニット制御装置３００は、ステップＳ３０１ｃで算出した室内側必要熱量Ｔｉｎに関するデータと、ステップＳ３０２ｃで算出した室内側熱交換器３１で熱交換される熱量Ｔｉに関するデータとを含む信号を中継ユニット制御装置２００へ送信する。ステップＳ３０３ｃの処理後、室内ユニット制御装置３００は、図６の連携制御に係る処理を終了する。
【００７８】  なお、図６におけるステップＳ３０１ｃ〜ステップＳ３０３ｃまでの処理は、各室内ユニット制御装置３００ａ、３００ｂ、３００ｃが実行する。つまり、各室内ユニット制御装置３００ａ、３００ｂ、３００ｃは、各室内ユニット３ａ、３ｂ、３ｃが必要とする室内側必要熱量Ｔｉｎａ、Ｔｉｎｂ、Ｔｉｎｃと、室内側熱交換器３１ａ、３１ｂ、３１ｃで熱交換される熱量Ｔｉａ、Ｔｉｂ、Ｔｉｃとを算出し、算出したデータを含む信号を中継ユニット制御装置２００へ送信する。
【００７９】  ステップＳ３０３ｂでは、中継ユニット制御装置２００は、ステップＳ３０３ａでエアハンドリングユニット制御装置４００より送信された信号と、ステップＳ３０３ｃで各室内ユニット制御装置３００より送信された信号とを受信する。つまり、中継ユニット制御装置２００は、外調側必要熱量Ｔａｎに関するデータと、外調側熱交換器４１で熱交換される熱量Ｔａに関するデータと、各室内ユニット３ａ、３ｂ、３ｃの室内側必要熱量Ｔｉｎａ、Ｔｉｎｂ、Ｔｉｎｃに関するデータと、室内側熱交換器３１ａ、３１ｂ、３１ｃで熱交換される熱量Ｔｉａ、Ｔｉｂ、Ｔｉｃに関するデータを得る。
【００８０】  ステップＳ３０３ｂで、中継ユニット制御装置２００が通信接続されている全てのエアハンドリングユニット制御装置４００および室内ユニット制御装置３００ａ、３００ｂ、３００ｃより信号を受信後、ステップＳ３０４ｂおよびステップＳ３０５ｂへ進む。
【００８１】  ステップＳ３０４ｂでは、中継ユニット制御装置２００は、ステップＳ３０３ｂで受信した信号に基づき、合計必要熱量Ｔｔｎを算出する。合計必要熱量Ｔｔｎとは、中継ユニット制御装置２００と通信接続されているエアハンドリングユニット制御装置４００で算出した外調側必要熱量Ｔａｎと室内ユニット制御装置３００で算出した室内側必要熱量Ｔｉｎとの総和である。つまり、実施の形態１における合計必要熱量Ｔｔｎは、エアハンドリングユニット制御装置４００で算出した外調側必要熱量Ｔａｎと、室内ユニット制御装置３００ａで算出した室内側必要熱量Ｔｉｎａと、室内ユニット制御装置３００ｂで算出した室内側必要熱量Ｔｉｎｂと、室内ユニット制御装置３００ｃで算出した室内側必要熱量Ｔｉｎｃとの総和である。
【００８２】  ステップＳ３０５ｂでは、中継ユニット制御装置２００は、ステップＳ３０３ｂで受信した信号に基づき、合計熱交換器熱量Ｔｔを算出する。合計熱交換器熱量Ｔｔとは、中継ユニット制御装置２００と通信接続されているエアハンドリングユニット制御装置４００で算出した外調側熱交換器４１で熱交換される熱量と室内ユニット制御装置３００で算出した室内側熱交換器３１で熱交換される熱量との総和である。つまり、実施の形態１における合計熱交換器熱量Ｔｔは、エアハンドリングユニット制御装置４００で算出した外調側熱交換器４１で熱交換される熱量Ｔａと、室内ユニット制御装置３００ａで算出した室内側熱交換器３１ａで熱交換される熱量Ｔｉａと、室内ユニット制御装置３００ｂで算出した室内側熱交換器３１ｂで熱交換される熱量Ｔｉｂと、室内ユニット制御装置３００ｃで算出した室内側熱交換器３１ｃで熱交換される熱量Ｔｉｃとの総和である。
【００８３】  ステップＳ３０４ｂおよびステップＳ３０５ｂの処理が終了した後、ステップＳ３０６ｂへ進む。ステップＳ３０６ｂでは、中継ユニット制御装置２００は、ステップＳ３０４ｂで算出した合計必要熱量Ｔｔｎが、ステップＳ３０５ｂで算出した合計熱交換器熱量Ｔｔよりも大きいか否かを判断する。
【００８４】  中継ユニット制御装置２００が、ステップＳ３０４ｂで算出した合計必要熱量ＴｔｎがステップＳ３０５ｂで算出した合計熱交換器熱量Ｔｔよりも大きいと判断した場合（ステップＳ３０６ｂ  Ｙｅｓ）は、ステップＳ３０７ｂへ進む。ステップＳ３０７ｂでは、中継ユニット制御装置２００は、熱媒体熱交換器２１において熱媒体へ与える加熱量または冷却量を増加させる制御を行う。熱媒体へ与える加熱量または冷却量を増加させる方法としては、たとえば、ポンプ２２の回転数を増加させる方法、または室外ユニット制御装置１００に信号を送り、圧縮機１０の回転数を増加させる方法が挙げられる。ステップＳ３０７ｂの処理後、中継ユニット制御装置２００は、図６の連携制御に係る処理を終了する。
【００８５】  中継ユニット制御装置２００が、ステップＳ３０４ｂで算出した合計必要熱量ＴｔｎがステップＳ３０５ｂで算出した合計熱交換器熱量Ｔｔよりも大きいと判断した場合（ステップＳ３０６ｂ  Ｎｏ）は、ステップＳ３０８ｂへ進む。ステップＳ３０８ｂでは、中継ユニット制御装置２００は、ステップＳ３０４ｂで算出した合計必要熱量Ｔｔｎが、ステップＳ３０５ｂで算出した合計熱交換器熱量Ｔｔよりも小さいか否かを判断する。
【００８６】  中継ユニット制御装置２００が、ステップＳ３０４ｂで算出した合計必要熱量がステップＳ３０５ｂで算出した合計熱交換器熱量よりも小さいと判断した場合（ステップＳ３０８ｂ  Ｙｅｓ）は、ステップＳ３０９ｂへ進む。ステップＳ３０９ｂでは、中継ユニット制御装置２００は、熱媒体熱交換器２１において熱媒体へ与える加熱量または冷却量を減少させる制御を行う。熱媒体へ与える加熱量または冷却量を減少させる方法としては、ステップＳ３０７ｂとは逆に、ポンプ２２の回転数を減少させる方法、または室外ユニット制御装置１００に信号を送り、圧縮機１０の回転数を減少させる方法が挙げられる。ステップＳ３０９ｂの処理後、中継ユニット制御装置２００は、図６の連携制御に係る処理を終了する。
【００８７】  中継ユニット制御装置２００が、ステップＳ３０４ｂで算出した合計必要熱量がステップＳ３０５ｂで算出した合計熱交換器熱量よりも大きいと判断した場合（ステップＳ３０８ｂ  Ｎｏ）は、ステップＳ３０４ｂで算出した合計必要熱量が、ステップＳ３０５ｂで算出した合計熱交換器熱量と等しい場合である。このため、熱媒体熱交換器２１において熱媒体へ与える加熱量または冷却量は変更せず、中継ユニット制御装置２００は、図６の連携制御に係る処理を終了する。
【００８８】  以上のように、実施の形態１の空気調和装置０によれば、熱媒体循環回路Ｂにおいて、熱媒体熱交換器２１を起点とし、熱媒体熱交換器２１が加熱または冷却した熱媒体の流れに対し、エアハンドリングユニット４が上流側となり、各室内ユニット３が下流側となるようにした。ここで、室内空気並びに外気を冷却する環境では、外気は室内空気に比べて暖かく湿った状態であることが多い。したがって、室内ユニット３は人体や機器の発熱など室内で発生する熱の冷却のみを行うが、エアハンドリングユニット４では外気の冷却と除湿を行う必要がある。つまり、室内ユニット３は顕熱処理のみを行うのに対し、エアハンドリングユニット４では顕熱処理と潜熱処理の両方を行い、エアハンドリングユニット４の方が必要な熱量が多くなる。したがって、実施の形態１の空気調和装置０は、熱媒体熱交換器２１で熱交換した熱媒体を、エアハンドリングユニット４を通過させてから、室内ユニット３へ流入させるため、先に必要な熱量が多いエアハンドリングユニット４へ供給されエアハンドリングユニット４での熱量の不足が起こり難くなる。したがって、無駄なく熱供給を行うことができる。エアハンドリングユニット４において除湿を行い、室内ユニット３において冷房を行う場合に特に有効である。
【００８９】  また、実施の形態１の空気調和装置０は、外調側熱交換器４１を通過する熱媒体の流量を調整する外調側流量調整装置４２を有している。したがって、熱媒体の流量を調整することにより、外調側熱交換器４１で熱交換される熱量を調整し、無駄なく熱供給を行うことができる。特に、熱媒体流量調整装置で熱媒体の流量を調整する動作は、熱源側ユニット（室外ユニット１と中継ユニット２）による熱媒体の加熱量または冷却量を調整するよりも省エネルギであり、無駄なく熱供給を行うことができる。
【００９０】  また、実施の形態１の空気調和装置０は、外調側熱交換器において熱交換される熱量と外調側熱交換器が必要とする熱量に応じて外調側熱交換器４１を通過する熱媒体の流量を制御する。したがって、室外温度と外調側設定温度との差が大きくなれば外調側熱交換器４１を通過する熱媒体の流量が増加するよう外調側熱量検出装置で検出した熱量と外調側熱交換器が必要とする熱量に応じて制御が行われ、無駄なく熱供給を行うことができる。
【００９１】  また、実施の形態１の空気調和装置０は、室外ユニット制御装置１００と、中継ユニット制御装置２００と、室内ユニット制御装置３００と、エアハンドリングユニット制御装置４００は、各種データを含む信号を通信することができる。たとえば室内ユニット制御装置３００が収集したデータに基づき、中継ユニット制御装置２００が内部のポンプの容量を変更するなど、空気調和装置０の各機器で連携制御を行うことができる。特に、室内ユニット３とエアハンドリングユニット４で必要としている熱量の総和に基づいて、熱源側ユニット（室外ユニット１と中継ユニット２）を制御することができるため、無駄なく熱供給を行うことができる。
【００９２】  また、実施の形態１における空気調和装置０では、各室内ユニット３およびエアハンドリングユニット４では、熱負荷との熱交換に係る熱量を検出する熱量検出装置を有している。そして、熱交換に係る熱量のデータを含む信号を通信することができる。このため、エアハンドリングユニット４および各室内ユニット３において、熱媒体が熱交換する熱量の総量により、熱源側冷媒循環回路Ａを循環する熱源側冷媒により熱媒体に与える熱量を制御することができ、省エネルギをはかることができる。特に、実施の形態１では、エアハンドリングユニット４が熱量検出装置を有している。実施の形態１の空気調和装置０では、熱媒体熱交換器２１によって加熱または冷却された熱媒体が各室内ユニット３よりも先にエアハンドリングユニット４を通過する。このため、エアハンドリングユニット４では、熱量検出装置を設置せずに熱量が把握できなくても、熱量の不足が起こりにくい。しかし、エアハンドリングユニット４が熱量検出装置を有し、エアハンドリングユニット４において供給する熱量を得ることで、熱媒体循環回路Ｂにおいて、熱媒体が熱交換する熱量の総量を精度よく得ることができ、さらに省エネルギをはかることができる。
【００９３】  なお、上述の図５のエアハンドリングユニット制御装置４００が行う制御のフローチャートと、図６の室内ユニット制御装置３００が行う制御のフローチャートと、図７の空気調和装置の連携制御のフローチャートは、空気調和装置０が運転している場合において、それぞれ周期的に実行されることが望ましい。各フローチャートが実行される周期は、設計者または使用者が自由に定めて構わない。ただし、一般的には、圧縮機１０またはポンプ２２の回転数を変更するために必要な電力よりも、外調側流量調整装置４２または室内側流量調整装置３２の開度を変更するために必要な電力の方が小さいため、外調側流量調整装置４２または室内側流量調整装置３２の開度を変更した後に、圧縮機１０またはポンプ２２の回転数を変更する方が、より省エネルギに外気または室内空気の温度調整を行うことができる。したがって、図７のように、熱源側冷媒と熱媒体の間で熱交換される熱量の制御を行う周期よりも、図５または図６のように、外調側熱交換器または室内側熱交換器を通過する熱媒体の流量の制御を行う周期を短くする方がより望ましい。
【００９４】  また、この発明の実施の形態１では、外調側熱量検出装置が、エアハンドリングユニット制御装置４００と、外調流入口側温度センサ５１５と、外調流出口側温度センサ５１６と、外調流入口側圧力センサ５２３と、外調流出口側圧力センサ５２４とであるが、これに限らない。たとえば、外調流入口側圧力センサ５２３および外調流出口側圧力センサ５２４の代わりに、外調側熱交換器を通過する熱媒体の流量を測定する流量センサを設け、外調側熱交換器に流入する熱媒体の温度と外調側熱交換器４１より流出する熱媒体の温度との温度差および流量センサで測定した流量に基づき、エアハンドリングユニット制御装置４００で外調側熱交換器４１で熱交換される熱量Ｔａを算出する構成でもよい。この場合、エアハンドリングユニット制御装置４００と、外調流入口側温度センサ５１５と、外調流出口側温度センサ５１６と、流量センサとが、外調側熱量検出装置に該当する。また、熱媒体の熱量を直接測定する熱量センサを外調側熱交換器４１の流入側と流出側に設け、流入側の熱量センサの検出熱量と流出側の熱量センサの検出熱量との差に基づき、エアハンドリングユニット制御装置で外調側熱交換器で熱交換される熱量Ｔａを算出する構成としてもよい。この場合、エアハンドリングユニット制御装置と、各熱量センサが外調側熱量検出装置に該当する。ただし、圧力センサおよび温度センサに比べ、流量センサおよび熱量センサは高価であるため、圧力センサと温度センサに基づいて熱交換される熱量を算出する方が、コストは低下する。
【００９５】  さらに、室内側熱交換器３１で熱交換される熱量Ｔｉも、外調側熱交換器４１で熱交換される熱量Ｔａと同様に、室内側熱交換器３１を通過する熱媒体の流量を測定する流量センサを設け、室内側熱交換器３１に流入する熱媒体の温度と室内側熱交換器３１より流出する熱媒体の温度との温度差および流量センサで測定した流量に基づき、室内側熱交換器で熱交換される熱量Ｔａを算出する構成でもよい。また、熱媒体の熱量を直接測定するセンサを室内側熱交換器３１の流入側と流出側とに設け、流入側のセンサの検出熱量と流出側のセンサの検出熱量との差を、室内側熱交換器３１で熱交換される熱量Ｔａとして算出する構成でもよい。
【００９６】実施の形態２．  図７は、この発明の実施の形態２に係るエアハンドリングユニット制御装置４００が行う制御のフローチャートである。実施の形態２は、エアハンドリングユニット制御装置４００が行う制御のフローチャートのみが実施の形態１と異なっており、空気調和装置０の構成と、室内ユニット制御装置３００の制御と、各制御装置の連携制御とについては、実施の形態１と同じであるため、説明を割愛する。
【００９７】  実施の形態１と同じく、ステップＳ１０１において、エアハンドリングユニット制御装置４００は、外気と熱媒体との間で熱交換を行う必要があるか否かを判断する。エアハンドリングユニット制御装置４００が熱交換を行う必要がないと判断した場合（ステップＳ１０１  Ｎｏ）は、ステップＳ１０２へ進み、エアハンドリングユニット制御装置４００は熱媒体が外調側熱交換器４１を通過しないように制御し、図７の制御に係る処理を終了する。
【００９８】  エアハンドリングユニット制御装置４００が熱交換を行う必要があると判断した場合（ステップＳ１０１  Ｙｅｓ）は、ステップＳ１０３およびステップＳ１０４へ進む。実施の形態１と同じく、エアハンドリングユニット制御装置４００は、ステップＳ１０３では外調側必要熱量Ｔａｎを算出し、ステップＳ１０４では外調側熱交換器４１の熱量Ｔａを算出する。
【００９９】  ステップＳ１０３およびステップＳ１０４の処理が終了した後、ステップＳ１０５へ進む。ステップＳ１０５では、エアハンドリングユニット制御装置４００は、ステップＳ１０３で算出した外調側必要熱量ＴａｎがステップＳ１０２で算出した熱量Ｔａよりも大きいか否かを判断する。
【０１００】  ステップＳ１０５で、エアハンドリングユニット制御装置４００が、ステップＳ１０３で算出した外調側必要熱量ＴａｎがステップＳ１０４で算出した熱量Ｔａよりも大きいと判断した場合（ステップＳ１０５  Ｙｅｓ）は、ステップＳ１０９へ進む。ステップＳ１０９では、エアハンドリングユニット制御装置４００は、ステップＳ１０４の時点における外調側熱交換器４１に流入する熱媒体の流量がエアハンドリングユニット制御装置４００のみで調整できる最大流量か否かを判断する。具体的には、外調側流量調整装置４２の開度が最大である状態、バイパス側流量調整装置４５の開度が最小である状態、または外調側流量調整装置４２の開度が最大かつバイパス側流量調整装置４５の開度が最小である状態が挙げられる。
【０１０１】  ステップＳ１０９で、外調側熱交換器４１に流入する熱媒体の流量が、エアハンドリングユニット制御装置４００のみで調整できる最大流量であると判断した場合（ステップＳ１０９  Ｙｅｓ）は、ステップＳ１１０へ進む。ステップＳ１１０では、エアハンドリングユニット制御装置４００は、中継ユニット制御装置２００に対して熱媒体熱交換器２１において熱媒体へ与える加熱量または冷却量の増加を要請する信号を送信する。当該信号を受け取った中継ユニット制御装置２００は、実施の形態１のステップＳ３０４ｂと同様に、熱源側ユニットが熱媒体へ与える加熱量または冷却量を増加させる制御を行う。ステップＳ１１０の処理後、図７の制御に係る処理を終了する。
【０１０２】  ステップＳ１０９で、外調側熱交換器４１に流入する熱媒体の流量が、エアハンドリングユニット制御装置４００のみで調整できる最大流量ではないと判断した場合（ステップＳ１０９  Ｎｏ）は、ステップＳ１０６へ進み、実施の形態１と同様に、エアハンドリングユニット制御装置４００は、外調側熱交換器４１に流入する熱媒体の流量をステップＳ１０４における流量よりも大きくするように制御する。ステップＳ１０６の処理後、図７の制御に係る処理を終了する。
【０１０３】  ステップＳ１０５で、エアハンドリングユニット制御装置４００が、ステップＳ１０３で算出した外調側必要熱量ＴａｎがステップＳ１０４で算出した熱量Ｔａ以下と判断した場合（ステップＳ１０５  Ｎｏ）は、ステップＳ１０７へ進む。ステップＳ１０７では、エアハンドリングユニット制御装置４００は、ステップＳ１０３で算出した外調側必要熱量ＴａｎがステップＳ１０４で算出した熱量Ｔａより小さいか否かを判断する。
【０１０４】  ステップＳ１０７で、エアハンドリングユニット制御装置４００が、ステップＳ１０３で算出した外調側必要熱量ＴａｎがステップＳ１０４で算出した熱量Ｔａより小さい判断した場合（ステップＳ１０７  Ｙｅｓ）は、ステップＳ１１１へ進む。ステップＳ１１１では、エアハンドリングユニット制御装置４００は、ステップＳ１０４の時点における外調側熱交換器４１に流入する熱媒体の流量がエアハンドリングユニット制御装置４００のみで調整できる最小流量か否かを判断する。具体的には、外調側流量調整装置４２の開度が最小である状態、バイパス側流量調整装置４５の開度が最大である状態、または外調側流量調整装置４２の開度が最小かつバイパス側流量調整装置４５の開度が最大である状態が挙げられる。
【０１０５】  ステップＳ１１１で、外調側熱交換器４１に流入する熱媒体の流量が、エアハンドリングユニット制御装置４００のみで調整できる最小流量であると判断した場合（ステップＳ１１１  Ｙｅｓ）は、換言する外調側流量調整装置４２で外調側熱交換器４１に流入する熱媒体の流量を少なくすることはできないため、外調側流量調整装置４２の開度は変更せず、図７の制御に係る処理を終了する。
【０１０６】  ステップＳ１１１で外調側熱交換器４１に流入する熱媒体の流量がエアハンドリングユニット制御装置４００のみで調整できる最小流量ではないと判断した場合（ステップＳ１１１  Ｎｏ）は、ステップＳ１０８へ進み、実施の形態１と同様に、外調側熱交換器４１に流入する熱媒体の流量をステップＳ１０４における流量よりも小さくするように制御する。ステップＳ１０８の処理後、図７の制御に係る処理を終了する。
【０１０７】  ステップＳ１０７でエアハンドリングユニット制御装置４００がステップＳ１０３で算出した外調側必要熱量ＴａｎがステップＳ１０４で算出した熱量Ｔａ以上と判断した場合（ステップＳ１０７  Ｎｏ）は、外調側流量調整装置４２の開度は変更せず、図７の制御に係る処理を終了する。
【０１０８】  熱媒体熱交換器２１を流出した熱媒体は、まず、エアハンドリングユニット４へ流入する。したがって、エアハンドリングユニット制御装置４００のみで制御できる最大流量であっても外調側熱交換器４１で必要な熱量に達していない場合は、エアハンドリングユニット４へ搬送される熱量を増加させなければ外調側熱交換器４１で必要な熱量に達しない。実施の形態２に係る空気調和装置０では、エアハンドリングユニット制御装置４００は、エアハンドリングユニット制御装置４００のみで制御できる最大流量であっても外調側熱交換器４１で必要な熱量に到達していない場合には、中継ユニット制御装置２００へ熱媒体熱交換器２１における冷媒と熱媒体との間で熱交換される熱量を増加させる制御を行うように要請する信号を送信する。この構成によって、より確実に、外調側熱交換器４１で必要な熱量を達することができる。
【０１０９】実施の形態３．  図８は、この発明の実施の形態３に係る空気調和装置０の構成の一例を示す図である。図８において、図１〜図３と同じ符号を付している機器などについては、実施の形態１と同様の動作を行う。また、実施の形態３の室内ユニット３は実施の形態１の図５のフローチャートの制御を行い、実施の形態３のエアハンドリングユニット４は実施の形態１の図４のフローチャートの制御または実施の形態２の図７のフローチャートの制御を行う。実施の形態３の空気調和装置０は、実施の形態１において説明した構成に加え、補助室外ユニット１ａおよび補助中継ユニット２ａを有している。
【０１１０】  補助室外ユニット１ａと補助中継ユニット２ａの内部の機器構成は実施の形態１において説明した室外ユニット１および中継ユニット２と同様であり、冷媒配管６ａで接続されている。したがって、補助室外ユニット１ａと補助中継ユニット２ａは熱源側冷媒循環回路Ａ１と同様の構造の補助熱源側冷媒循環回路Ａ２を構成し、補助熱源側冷媒循環回路には補助用熱源冷媒が流れている。ここで熱源側冷媒循環回路Ａ１が熱媒体を冷却するよう熱源側冷媒を流している場合には補助熱源側冷媒循環回路Ａ２も熱媒体を冷却するよう補助熱源側冷媒は流れ、熱源側冷媒循環回路Ａ１が熱媒体を加熱するよう熱源側冷媒を流している場合には補助熱源側冷媒循環回路Ａ２も熱媒体を加熱するよう熱源側冷媒は流れる。なお、補助室外ユニット１ａと補助中継ユニット２ａが、この発明の補助熱源側ユニットに該当する。
【０１１１】  また、補助室外ユニット１ａは、室外ユニット１と同様に、少なくとも補助室外ユニット１ａ内の圧縮機の容量の制御を行う補助室外ユニット制御装置１００ａを備えている。さらに、補助中継ユニット２ａは、中継ユニット２と同様に、少なくとも補助中継ユニット２ａ内のポンプの容量の制御を行う補助中継ユニット制御装置２００ａを備えている。補助室外ユニット制御装置１００ａと、補助中継ユニット制御装置２００ａは、少なくとも中継ユニット制御装置２００と、それぞれ無線または有線で通信可能に接続されており、中継ユニット制御装置２００との間で、各種データを含む信号を通信することができる。
【０１１２】  実施の形態３の空気調和装置０では、熱媒体循環回路Ｂに第４接続配管５Ｇと、第５接続配管５Ｈが設けられている。第４接続配管５Ｇは、第３接続配管５Ｆの主配管５Ｆａと補助中継ユニット２ａを接続しており、空気調和装置０は室内ユニット３ａ〜室内ユニット３ｃより流出し、合流した熱媒体の一部が、補助中継ユニット２ａに流入するように構成されている。第５接続配管５Ｈは、補助中継ユニット２ａと第２接続配管５Ｄの主配管５Ｄａとを接続しており、空気調和装置０は、補助中継ユニット２ａから流出した熱媒体が第２接続配管５Ｄを経由し、室内ユニット３ａ〜室内ユニット３ｃに流入するように構成されている。したがって、補助中継ユニット２ａは、室内ユニット３ａ〜室内ユニット３ｃより流出した熱媒体の一部を補助熱源側冷媒循環回路Ａ２を流れる熱源側冷媒と熱交換させて加熱または冷却し、加熱または冷却された熱媒体の一部は第３接続配管５Ｉでエアハンドリングユニット４から流出した熱媒体と合流して室内ユニット３に流入する。
【０１１３】  ここで、補助中継ユニット２ａを通過する熱媒体の温度は、中継ユニット２で熱媒体が冷却される場合はエアハンドリングユニット４より流出した熱媒体の温度よりも低く、中継ユニット２で熱媒体が加熱される場合はエアハンドリングユニット４より流出した熱媒体の温度よりも高くなるよう、補助中継ユニット２ａより与えられる冷却量または加熱量が制御されている。したがって、補助中継ユニット２ａは、エアハンドリングユニット４より流出した熱媒体の温度を上昇または下降させている。
【０１１４】  次に、実施の形態３における室外ユニット１と、中継ユニット２と、室内ユニット３と、補助室外ユニット１ａと、補助中継ユニット２ａによる連携制御について説明する。図９は、この発明の実施の形態３に係る空気調和装置０の連携制御のフローチャートである。なお、図９のフローチャートの開始時点では、補助熱源側冷媒循環回路Ａ２は、熱媒体を加熱または冷却していない状態であるとする。
【０１１５】  ステップＳ４０１ｃでは、室内ユニット制御装置３００は、室内側必要熱量Ｔｉｎを算出する。室内側必要熱量Ｔｉｎの算出方法は、ステップＳ２０３と同様の方法で算出を行い、ステップＳ２０３で算出した値を用いてもよい。
【０１１６】  ステップＳ４０２ｃでは、室内ユニット制御装置３００は、室内側熱交換器３１で熱交換される熱量Ｔｉを算出する。室内側熱交換器３１で熱交換される熱量Ｔｉの算出方法は、ステップＳ２０４と同様の方法で算出を行い、ステップＳ２０４で算出した値を用いてもよい。
【０１１７】  ステップＳ４０１ｃおよびステップＳ４０２ｃの処理が終了すると、ステップＳ４０３ｃへ進む。ステップＳ４０３ｃでは、室内ユニット制御装置３００は、ステップＳ４０１ｃで算出した室内側必要熱量Ｔｉｎに関するデータと、ステップＳ４０２ｃで算出した室内側熱交換器３１で熱交換される熱量Ｔｉに関するデータとを含む信号を中継ユニット制御装置２００へ送信する。ステップＳ４０３ｃの処理後、室内ユニット制御装置３００は、図９の連携制御に係る処理を終了する。
【０１１８】  なお、図９におけるステップＳ４０１ｃ〜ステップＳ４０３ｃまでの処理は、各室内ユニット制御装置３００ａ、３００ｂ、３００ｃで実行される。つまり、各室内ユニット制御装置３００ａ、３００ｂ、３００ｃは各室内ユニット３ａ、３ｂ、３ｃが必要とする室内側必要熱量Ｔｉｎａ、Ｔｉｎｂ、Ｔｉｎｃと室内側熱交換器３１ａ、３１ｂ、３１ｃで熱交換される熱量Ｔｉａ、Ｔｉｂ、Ｔｉｃを算出し、算出したデータを含む信号を中継ユニット制御装置２００へ送信する。
【０１１９】  ステップＳ４０３ｂでは、中継ユニット制御装置２００は、ステップＳ４０３ｃで各室内ユニット制御装置３００より送信された信号を受信する。つまり、中継ユニット制御装置２００は、各室内ユニット３ａ、３ｂ、３ｃの室内側必要熱量Ｔｉｎａ、Ｔｉｎｂ、Ｔｉｎｃに関するデータと、室内側熱交換器３１ａ、３１ｂ、３１ｃで熱交換される熱量Ｔｉａ、Ｔｉｂ、Ｔｉｃに関するデータとを得る。
【０１２０】  ステップＳ４０３ｂで、中継ユニット制御装置２００が、通信接続されている全ての室内ユニット制御装置３００ａ、３００ｂ、３００ｃより信号を受信後、ステップＳ４０４ｂおよびステップＳ４０５ｂへ進む。
【０１２１】  ステップＳ４０４ｂでは、中継ユニット制御装置２００は、ステップＳ４０３ｂで受信した信号に基づき、合計室内側必要熱量Ｔｔｉｎを算出する。合計室内側必要熱量Ｔｔｉｎとは、中継ユニット制御装置２００と通信接続されているエアハンドリングユニット制御装置４００で算出した室内ユニット制御装置３００で算出した室内側必要熱量Ｔｉｎの総和である。つまり、実施の形態３における合計室内側必要熱量Ｔｔｉｎは、室内ユニット制御装置３００ａで算出した室内側必要熱量Ｔｉｎａと、室内ユニット制御装置３００ｂで算出した室内側必要熱量Ｔｉｎｂと、室内ユニット制御装置３００ｃで算出した室内側必要熱量Ｔｉｎｃとの総和である。
【０１２２】  ステップＳ４０５ｂでは、中継ユニット制御装置２００は、ステップＳ４０３ｂで受信した信号に基づき、合計室内側熱交換器熱量Ｔｔｉを算出する。合計室内側熱交換器熱量Ｔｔｉとは、中継ユニット制御装置２００と通信接続されているエアハンドリングユニット制御装置４００で算出した外調側熱交換器４１で熱交換される熱量と室内ユニット制御装置３００で算出した室内側熱交換器３１で熱交換される熱量との総和である。つまり、実施の形態３における合計室内側熱交換器熱量Ｔｔｉは、エアハンドリングユニット制御装置４００で算出した外調側熱交換器４１で熱交換される熱量Ｔａと、室内ユニット制御装置３００ａで算出した室内側熱交換器３１ａで熱交換される熱量Ｔｉａと、室内ユニット制御装置３００ｂで算出した室内側熱交換器３１ｂで熱交換される熱量Ｔｉｂと、室内ユニット制御装置３００ｃで算出した室内側熱交換器３１ｃで熱交換される熱量Ｔｉｃとの総和である。
【０１２３】  ステップＳ４０４ｂおよびステップＳ４０５ｂの処理が終了した後、ステップＳ４０６ｂへ進む。ステップＳ４０６ｂでは、中継ユニット制御装置２００は、ステップＳ４０４ｂで算出した合計室内側必要熱量Ｔｔｎｉが、ステップＳ４０５ｂで算出した合計室内側熱交換器熱量Ｔｔｉよりも大きいか否かを判断する。中継ユニット制御装置２００が、ステップＳ４０４ｂで算出した合計室内側必要熱量ＴｔｎｉがステップＳ４０５ｂで算出した合計室内側熱交換器熱量Ｔｔｉ以下と判断した場合（ステップＳ４０６ｂ  Ｎｏ）は、中継ユニット制御装置２００は、図９の連携制御に係る処理を終了する。
【０１２４】  中継ユニット制御装置２００が、ステップＳ４０４ｂで算出した合計室内側必要熱量ＴｔｎｉがステップＳ４０５ｂで算出した合計室内側熱交換器熱量Ｔｔｉよりも大きいと判断した場合（ステップＳ４０６ｂ  Ｙｅｓ）は、室内側熱交換器３１で熱交換される熱量が不足している状態であり、ステップＳ４０７ｂへ進む。ステップＳ４０７ｂでは、中継ユニット制御装置２００は、熱源側ユニット（室外ユニット１および中継ユニット２）があらかじめ定められた出力上限に達しているかを判断する。たとえば、圧縮機１０があらかじめ定められた上限容量に到達している状態、またはポンプ２０２があらかじめ定められた上限容量に到達している状態、または熱媒体熱交換器２１で熱媒体を冷却する場合において熱媒体の凝固点より高い温度にあらかじめ定められた下限熱媒体温度よりも熱媒体流出口側温度センサ５１２の検出温度が低い状態、または熱媒体熱交換器２１で熱媒体を加熱する場合において熱媒体の沸点より小さい温度にあらかじめ定められた上限熱媒体温度よりも熱媒体流出口側温度センサ５１２の検出温度が高い状態であれば、中継ユニット制御装置２００は、熱源側ユニットが出力上限に達していると判断する。
【０１２５】  中継ユニット制御装置２００が、熱源側ユニットが出力上限に達していると判断した場合（ステップＳ４０７ｂ  Ｙｅｓ）は、ステップＳ４０８ｂへ進む。ステップＳ４０８ｂでは、中継ユニット制御装置２００は、補助熱源側ユニットの動作開始を要請する信号を、補助中継ユニット２ａの補助中継ユニット制御装置２００ａに送信する。ステップＳ４０８ｂの処理後、中継ユニット制御装置２００は、図９の連携制御に係る処理を終了する。
【０１２６】  ステップＳ４０８ｄでは、補助中継ユニット制御装置２００ａは、ステップＳ４０８ｂで中継ユニット制御装置２００より送信された信号を受信する。ステップＳ４０８ｄで信号を受信後、ステップＳ４０９ｄへ進み、補助中継ユニット制御装置２００ａは、補助熱源側冷媒循環回路Ａ２による熱媒体の加熱または冷却を開始する。ステップＳ４０９ｄの処理後、補助中継ユニット制御装置２００ａは、図９の連携制御に係る処理を終了する。
【０１２７】  中継ユニット制御装置２００が、熱源側ユニットが出力上限に達していないと判断した場合（ステップＳ４０７ｂ  Ｎｏ）は、ステップＳ４０９ｂへ進み、図６のステップＳ３０７ｂと同様に、中継ユニット制御装置２００は、熱媒体熱交換器２１における冷媒と熱媒体との間で熱交換される熱量を増加させる制御を行う。ステップＳ４０９ｂの処理後、中継ユニット制御装置２００は、図９の連携制御に係る処理を終了する。
【０１２８】  一般的に、圧縮機およびポンプは、破損を防ぐため、容量には上限値があらかじめ定められている。また、熱媒体が凍結または気化すると、配管や熱交換器が破損してしまう可能性がある。したがって、熱源側冷媒循環回路Ａは、圧縮機１０、ポンプ２２、配管および熱交換器の破損を防ぐために、熱源側冷媒と熱媒体との間で熱交換される熱量には上限が存在する。このため、たとえば、エアハンドリングユニット４において、外気との熱交換によって消費される熱量が多くなると、熱源側冷媒と熱媒体との間で熱交換される熱量の上限に達しても、各室内ユニット３において室内空気との熱交換に必要な熱量がまかなえなくなる可能性がある。
【０１２９】  そこで、実施の形態３の空気調和装置０は、熱源側ユニットが出力上限に達しており、室内側熱交換器３１で熱交換される熱量が不足している状態になると、補助熱源側冷媒循環回路Ａ２による熱媒体の加熱または冷却を開始させる。補助熱源側冷媒循環回路Ａ２によって、不足分の熱量をまかなうことができ、より確実に室内空間の空気調和を行うことができる。
【０１３０】  なお、上述の図９の空気調和装置０の連携制御に係るフローチャートは、空気調和装置０が運転している場合において、周期的に実行されることが望ましい。図９の連携制御に係るフローチャートが実行される周期は、設計者または使用者が自由に定めて構わない。ただし、補助熱源側冷媒循環回路Ａ２による熱媒体の加熱または冷却を開始すると、エネルギ消費量が大きくなる。したがって、図９のように、補助熱源側ユニットを起動させる制御を行う周期よりも、図７のように、熱源側冷媒と熱媒体の間で熱交換される熱量の制御を行う周期、または図５若しくは図６のように、外調側熱交換器若しくは室内側熱交換器を通過する熱媒体の流量の制御を行う周期を短くする方がより望ましい。
【０１３１】実施の形態４．  図１０は、この発明の実施の形態４に係る空気調和装置０の構成を示す図である。図１０において、図２と同じ符号を付している機器などについては、実施の形態１〜実施の形態３のいずれかの空気調和装置０と同様の動作を行う。実施の形態４の空気調和装置０は、実施の形態１〜実施の形態３で説明した中継ユニット２内の機器を、室外ユニット１に含めて一体化したものである。このため、実施の形態４の空気調和装置０は、室外ユニット１、エアハンドリングユニット４および各室内ユニット３を、熱媒体配管５で配管接続する。これにより、中継ユニット２を独立して設けなくても、実施の形態１および実施の形態２で説明した制御などを行うことができる。
【０１３２】  実施の形態４では、室外ユニット１がこの発明の熱源側ユニットに該当する。また、室外ユニット制御装置１００は、実施の形態１〜実施の形態３における室外ユニット制御装置１００と中継ユニット制御装置２００の双方の働きを有する。したがって、図６および図９の制御において中継ユニット制御装置２００が実行していた制御は室外ユニット制御装置１００が実行する。
【０１３３】  なお、実施の形態３における補助室外ユニット１ａと補助中継ユニット２ａについても、同様に補助中継ユニット２ａ内の機器を補助室外ユニット１ａに含めて一体化してもよい。
【０１３４】実施の形態１〜実施の形態４の変形例  前述した実施の形態１〜実施の形態４においては、エアハンドリングユニット４は、外調側流量調整装置４２を有していた。また、各室内ユニット３は、室内側流量調整装置３２を有していた。しかしながら、これらの流量調整装置を、独立した別のユニットに含めるようにしてもよい。
【０１３５】  また、上述した実施の形態１〜実施の形態４においては、室外ユニット１と中継ユニット２を熱源側ユニットとし、熱源側冷媒を循環させる熱源側冷媒循環回路Ａを形成し、熱媒体熱交換器２１を蒸発器または凝縮器として機能させることで熱媒体を加熱または冷却しているが、これに限らない。たとえば、熱源側冷媒循環回路内の冷媒流路切替装置を設けず、熱媒体熱交換器が蒸発器としてのみ機能し熱媒体の加熱のみを行う構成でもよいし、熱媒体熱交換器が凝縮器としてのみ機能し熱媒体の冷却のみを行う構成でもよい。また、熱源側冷媒循環回路に限らず、たとえば、電気ヒータまたはガスの燃焼熱で熱媒体を加熱する構成、氷によって熱媒体を冷却する構成など、熱源側ユニットは、熱媒体を加熱または冷却する構成であれば、いかなる構成であってもよい。
【０１３６】  また、図６のフローチャートにおいて、中継ユニット制御装置２００が合計必要熱量Ｔｔｎの算出（ステップＳ３０４ｂ）と、合計熱交換器熱量Ｔｔの算出（ステップＳ３０５ｂ）と、合計必要熱量Ｔｔｎと合計熱交換器熱量Ｔｔの比較（ステップＳ３０６ｂとステップＳ３０８ｂ）とを行っているが、他の制御装置が行っていても構わない。たとえば、室外ユニット制御装置１００が、外調側必要熱量Ｔａｎと外調側熱交換器４１で熱交換される熱量Ｔａと室内側必要熱量Ｔｉｎと室内側熱交換器３１で熱交換される熱量Ｔｉに関するデータを受信（ステップＳ３０３ｂに相当）し、合計必要熱量Ｔｔｎを算出（ステップＳ３０４ｂに相当）し、合計熱交換器熱量Ｔｔの算出（ステップＳ３０５ｂに相当）し、合計必要熱量Ｔｔｎと合計熱交換器熱量Ｔｔの比較（ステップＳ３０６ｂとステップＳ３０８ｂに相当）を行い、比較結果に基づいて熱源側冷媒と熱媒体との間で熱交換される熱量の増減（ステップＳ３０７ｂとステップＳ３０９ｂに相当）を行ってもよい。また、同様に、図９のフローチャートにおいて、中継ユニット制御装置２００が行う合計室内側必要熱量Ｔｔｉｎを、熱源側ユニットのみで達成可能かの判断（ステップＳ４０６ｂ）および補助熱源側ユニットへの動作を要求（ステップＳ４０８ｂ）と、補助中継ユニット制御装置２００ａが行う補助熱源側ユニットによる熱媒体の熱交換の開始（ステップＳ４０９ｄ）も、他の制御装置が行ってもよい。
【０１３７】  以上の実施の形態１〜実施の形態４およびその変形例に示すように、本願の課題を解決する第１の空気調和装置０に関する様態は、熱を搬送する媒体となる熱媒体を加熱または冷却する熱源側ユニットと、建物内へ送風される室外空気と熱媒体との間で熱交換を行う外調側熱交換器４１と室内空気と熱媒体との間で熱交換を行う室内側熱交換器３１とを配管接続して熱媒体を循環させる熱媒体循環回路Ｂを備え、熱媒体循環回路Ｂにおいて、熱源側ユニットで加熱または冷却された熱媒体の一部は、外調側熱交換器４１を通過してから室内側熱交換器３１に流入し、熱媒体循環回路Ｂには外調側熱交換器４１を通過する熱媒体の流量を調整する外調側流量調整装置４２を備えた構成である。  この構成により、熱媒体循環回路Ｂにおいて、熱源側ユニットで加熱または冷却された熱媒体の一部は、外調側熱交換器４１を通過してから室内側熱交換器３１に流入する構成によって、熱媒体は熱負荷によって消費される熱量の変化が少ない外調側熱交換器４１を通過してから室内側熱交換器３１を通過するため、無駄なく熱供給を行うことができる効果を奏する。特に外調側熱交換器４１が除湿を行い、室内側熱交換器３１が冷房を行う場合において、より有用である。
【０１３８】  さらに、第１の空気調和装置０に関する様態では、熱媒体循環回路Ｂには外調側熱交換器４１を通過する熱媒体の流量を調整する外調側流量調整装置４２を備えた構成である。  この構成によって、外調側熱交換器４１に搬送する熱量を制御することができ、無駄なく熱供給を行うことができる効果を奏する。
【０１３９】  また、第２の空気調和装置０に関する様態として、上述の第１の空気調和装置０に関する様態に、熱源側ユニットで加熱または冷却された熱媒体の他の一部は、外調側熱交換器４１を通過せずに室内側熱交換器３１に流入し、外調側流量調整装置４２は、外調側熱交換器を通過して室内側熱交換器３１に流入する熱媒体の流量と、外調側熱交換器４１を通過せずに室内側熱交換器３１に流入する熱媒体の流量との比率を調整する構成を付加してもよい。  この構成によって、外調側熱交換器４１を通過していない熱媒体も室内側熱交換器３１に流入するため、外調側熱交換器４１を通過した熱媒体のみが室内側熱交換器３１に流入する場合に比べて、高温または低温の熱媒体を室内側熱交換器に供給することができ、より無駄の無い熱供給を行うことができる。
【０１４０】  また、第３の空気調和装置０に関する様態として、上述の第２の空気調和装置０に関する様態に、熱源側ユニットで加熱または冷却された熱媒体の一部であり、外調側熱交換器４１を通過した熱媒体と、熱源側ユニットで加熱または冷却された熱媒体の他の一部であり外調側熱交換器４１を通過しない熱媒体とは、外調側熱交換器４１と室内側熱交換器３１とを接続する配管で合流した後に、室内側熱交換器３１へ流入する構成を付加してもよい。  この構成によって外調側熱交換器４１を通過した熱媒体と外調側熱交換器４１を通過しない熱媒体とが混合されてから室内側熱交換器３１に流入するため、室内側熱交換器３１の構造を簡略化できる。
【０１４１】  また、第４の空気調和装置０に関する様態として、上述の第１〜第３の空気調和装置０に関する様態のいずれかに、熱媒体循環回路Ｂは、熱源側ユニットと外調側熱交換器４１とを接続する配管と、外調側熱交換器４１と室内側熱交換器３１とを接続する配管とを、外調側熱交換器４１を介さずに接続するバイパス配管４４を備え、外調側流量調整装置４２は、外調側熱交換器４１を通過して室内側熱交換器３１に流入する熱媒体の流量と、バイパス配管４４を通過して室内側熱交換器３１に流入する熱媒体の流量の比率とを調整する構成を付加してもよい。  この構成によって、外調側熱交換器４１を通過していない熱媒体も室内側熱交換器３１に流入するため、外調側熱交換器４１を通過した熱媒体のみが室内側熱交換器３１に流入する場合に比べて、高温または低温の熱媒体を室内側熱交換器３１に供給することができ、より無駄の無い熱供給を行うことができる。
【０１４２】  また、第５の空気調和装置０に関する様態として、上述の第１〜第４の空気調和装置０に関する様態のいずれかに、熱源側ユニットは、熱源側冷媒を圧縮する圧縮機と、熱源側冷媒と空気との熱交換を行う熱源側熱交換器と、熱源側冷媒を減圧する絞り装置と、熱源側冷媒と熱媒体との熱交換を行う熱媒体熱交換器とを配管接続した熱源側冷媒循環回路を有する構成を付加してもよい。
【０１４３】  また、第６の空気調和装置０に関する様態として、上述の第１〜第５の空気調和装置０に関する様態のいずれかに、外調側流量調整装置４２は、室外空気の温度とあらかじめ定められた外調側設定温度との差が大きくなると、外調側熱交換器４１に流れる熱媒体の流量を増加させる構成を付加してもよい。  この構成によって、室外温度と設定温度に基づいて外調側熱交換器４１で熱交換される熱量を制御できるため、より無駄の無い熱供給を行うことができる。
【０１４４】  また、第７の空気調和装置０に関する様態として、上述の第１〜第６の空気調和装置０に関する様態のいずれかに、外調側流量調整装置４２は、外調側熱交換器４１において熱交換される熱量と、外調側熱交換器４１が必要とする熱量に基づき、外調側熱交換器４１に流れる熱媒体の流量を調整する構成を付加してもよい。  この構成によって、外調側熱交換器４１で熱交換される熱量と外調側熱交換器４１が必要とする熱量に基づき外調側熱交換器４１に流れる熱媒体の流量を調整することができ、より無駄の無い熱供給を行うことができる。
【０１４５】  なお、第７の空気調和装置０に関する様態に、外調側流量調整装置４２は、外調側熱交換器４１が必要とする熱量が外調側熱交換器４１において熱交換される熱量よりも大きい場合に、外調側熱交換器４１に流れる熱媒体の流量を増加する構成を付加してもよい。  この構成によって、外調側熱交換器４１に供給される熱量が不足している場合に、外調側熱交換器４１に流れる熱媒体の流量を増加させ、外調側熱交換器４１に供給される熱量を増加させることができる。  さらに、第７の空気調和装置０に関する様態に、外調側流量調整装置４２は、外調側熱交換器４１が必要とする熱量が外調側熱交換器４１において熱交換される熱量よりも小さい場合に、外調側熱交換器４１に流れる熱媒体の流量を減少する構成を付加してもよい。  この構成によって、外調側熱交換器４１に供給される熱量が過剰である場合に、外調側熱交換器４１に流れる熱媒体の流量を減少させ、外調側熱交換器４１に供給される熱量を減少させることができる。
【０１４６】  また、第８の空気調和装置０に関する様態として、上述の第１〜第７の空気調和装置０に関する様態のいずれかに、熱源側ユニットは、外調側熱交換器４１が必要とする熱量が、外調側熱交換器４１において熱交換される熱量よりも大きく、外調側流量調整装置４２で調整可能な流量の上限に達している場合に、熱媒体に与える加熱量または冷却量を増加する構成を付加してもよい。  この構成によって、外調側流量調整装置４２による流量調整で外調側熱交換器４１に必要とする熱量を達成できない場合であっても、熱源側ユニットが熱媒体に与える加熱量または冷却量を増加させるため、外調側熱交換器４１に必要とする熱量を、より確実に達成させることができる。
【０１４７】  また、第９の空気調和装置０に関する様態として、上述の第１〜第８の空気調和装置０に関する様態のいずれかに、熱源側ユニットは、外調側熱交換器４１において熱交換される熱量と、室内側熱交換器３１において熱交換される熱量との和に基づいて、熱媒体へ与える加熱量または冷却量を変更する構成を付加してもよい。  この構成によって、熱源側ユニットは、外調側熱交換器４１および室内側熱交換器３１において熱交換される熱量に基づき、加熱量または冷却量を調整することができ、より無駄のない熱供給を行うことができる。
【０１４８】  なお、第９の空気調和装置０に関する様態に、熱源側ユニットは、外調側熱交換器４１において熱交換される熱量と室内側熱交換器３１において熱交換される熱量との和よりも外調側熱交換器４１が必要とする熱量と室内側熱交換器３１が必要とする熱量との和が大きい場合に、加熱量または冷却量を増加させる構成を付加してもよい。  この構成によって、熱源側ユニットは、外調側熱交換器４１および室内側熱交換器３１に供給する熱量が不足している場合に、熱媒体の加熱量または冷却量を増加させ、外調側熱交換器４１および室内側熱交換器３１が必要とする熱量を供給することができる。  なお、第９の空気調和装置０に関する様態に、熱源側ユニットは、外調側熱交換器４１において熱交換される熱量と室内側熱交換器３１において熱交換される熱量との和よりも外調側熱交換器４１が必要とする熱量と室内側熱交換器３１が必要とする熱量の和が小さい場合に、加熱量または冷却量を減少させる構成を付加してもよい。  この構成によって、熱源側ユニットは、外調側熱交換器４１および室内側熱交換器３１に供給する熱量が過剰である場合に熱媒体の加熱量または冷却量を減少させ、省エネルギ化を行うことができる。
【０１４９】  また、第１０の空気調和装置０に関する様態として、上述の第７または第９の空気調和装置０に関する様態のいずれかに、外調側熱交換器４１において熱交換される熱量を検出する外調側熱量検出装置を備え、外調側熱量検出装置は、外調側熱交換器４１に流入する熱媒体の温度を検出する外調流入口側温度センサ５１５と、外調側熱交換器４１より流出する熱媒体の温度を検出する外調流出口側温度センサ５１６と、外調流入口側温度センサ５１５の検出に係る温度、外調流出口側温度センサ５１６の検出に係る温度および外調側熱交換器４１を通過する熱媒体の流量に基づき、外調側熱交換器４１において熱交換される熱量を算出するエアハンドリングユニット制御装置４００とを備える構成を付加してもよい。  この構成によって、外調側熱交換器４１に流入する熱媒体の温度と、外調側熱交換器４１より流出する熱媒体の温度と、外調側熱交換器４１を通過する熱媒体の流量に基づき、より精度よく外調側熱交換器４１において熱交換を行う熱量を算出することができる。
【０１５０】  また、第１１の空気調和装置０に関する様態として、上述の第１０の空気調和装置０に関する様態に、外調側流量調整装置４２は開度を調整できる弁であり、外調側熱量検出装置は、外調側熱交換器４１に流入する熱媒体の圧力を検出する外調流入口側圧力センサ５２３と、外調側熱交換器４１より流出する熱媒体の圧力を検出する外調流出口側圧力センサ５２４とを備え、エアハンドリングユニット制御装置４００は、外調流入口側圧力センサ５２３の検出に係る圧力と外調流出口側圧力センサ５２４の検出に係る圧力との差圧および外調側流量調整装置４２の開度に基づき、外調側熱交換器４１を通過する熱媒体の流量を算出する構成を付加してもよい。  この構成によって、外調側熱交換器４１の流入側と流出側の圧力差および外調側流量調整装置４２の開度に基づき外調側熱交換器４１を通過する熱媒体の流量を算出するため、高価な流量計を用いずに、安価な圧力センサで流量を算出でき空気調和装置０のコストを抑えることができる。
【０１５１】  また、第１２の空気調和装置０に関する様態として、上述の第１〜第１１の空気調和装置０に関する様態のいずれかに、外調側流量調整装置４２、外調側熱交換器４１および外調側流量調整装置４２を制御するエアハンドリングユニット制御装置４００を収納するエアハンドリングユニット筐体と、熱源側ユニットが熱媒体に供給する加熱量または冷却量を制御する熱源側ユニット制御装置とを備え、エアハンドリングユニット制御装置４００と、熱源側ユニット制御装置との間が通信接続されている構成を付加してもよい。  この構成によって、エアハンドリングユニット制御装置４００と熱源側ユニット制御装置との間で情報の送受信を行うことができ、エアハンドリングユニット４と熱源側ユニットとの間で連携制御を行うことができる。ここで、連携制御とは、たとえば、熱源側ユニット制御装置がエアハンドリングユニット４の状態に関する情報に基づいて、熱源側ユニットに搭載された機器の制御を行うこと、またはエアハンドリングユニット制御装置４００が熱源側ユニットの状態に関する情報に基づいて、エアハンドリングユニット４に搭載された機器の制御を行うことである。
【０１５２】  また、第１３の空気調和装置０に関する様態として、上述の第１〜第１２の空気調和装置０に関する様態のいずれかに、外調側熱交換器４１を通過して、室内側熱交換器３１に流入するまでの熱媒体の温度を上昇または下降させる補助熱源側ユニットを備える構成を付加してもよい。  この構成によって、室内側熱交換器３１で熱交換される熱量が不足している状態になっても、補助熱源側ユニットによって、不足分の熱量を賄うことができ、より確実に室内空間の空気調和を行うことができる。
【０１５３】  また、第１４の空気調和装置０に関する様態として、上述の第１３の空気調和装置０に関する様態に、補助熱源側ユニットは、熱媒体を加熱または冷却し、外調側熱交換器４１を通過して、室内側熱交換器３１に流入するまでの熱媒体は、補助熱源側ユニットで加熱または冷却された熱媒体と合流してから室内側熱交換器３１に流入する構成を付加してもよい。  この構成によって、外調側熱交換器４１を通過した熱媒体と補助熱源側ユニットで加熱または冷却された熱媒体とが混合されてから室内側熱交換器３１に流入するため、室内側熱交換器３１の構造を簡略化できる。
【０１５４】  また、第１５の空気調和装置０に関する様態として、上述の第１４の空気調和装置０に関する様態に、補助熱源側ユニットは、室内側熱交換器３１より流出した熱媒体を加熱または冷却し、補助熱源側ユニットで加熱または冷却された熱媒体は、熱源側ユニットおよび外調側熱交換器４１を通過せずに、外調側熱交換器４１を通過した熱媒体と合流する構成を付加してもよい。
【０１５５】  また、第１６の空気調和装置０に関する様態として、上述の第１３〜第１５の空気調和装置０に関する様態のいずれかに、補助熱源側ユニットは、室内側熱交換器３１で熱交換される熱量が不足している状態であり、熱源側ユニットがあらかじめ定められた出力上限に達している場合に、補助熱源側ユニットは熱媒体の加熱または冷却を行う構成を付加してもよい。  この構成によって、熱源側ユニットのみでは室内側熱交換器３１で熱交換される熱量が不足している状態であっても、補助熱源側ユニットによって熱量を供給することができる。
【０１５６】  さらに、以上の実施の形態１〜４およびその変形例に示すように、本願の課題を解決する第１のエアハンドリングユニット４に関する様態は、対象空間外から対象空間内に送風される空気と、熱源側ユニットで加熱または冷却した熱媒体の一部との間で熱交換を行う外調側熱交換器４１と、外調側熱交換器４１を通過する熱媒体の流量を調整する外調側流量調整装置４２とを備え、外調側熱交換器４１で熱交換を行った熱媒体は、室内空気と熱媒体の間で熱交換を行う室内側熱交換器３１に流入する構成である。  この構成によって、外調側熱交換器４１を通過する熱媒体の流量を調整して、外調側熱交換器４１に搬送される熱量を制御することができ、無駄なく熱供給を行うことができる効果を奏する。
【０１５７】  また、第２のエアハンドリングユニット４に関する様態として、上述の第１のエアハンドリングユニット４に関する様態に、熱源側ユニットで加熱または冷却された熱媒体が流入する流入口４ａと、流入口４ａと外調側熱交換器４１とを接続する往路配管５Ｃａと、外調側熱交換器４１で熱交換を行った熱媒体が流出する流出口４ｂと、流出口４ｂと外調側熱交換器４１とを接続する復路配管５Ｃｂと、往路配管５Ｃａと復路配管５Ｃｂとを外調側熱交換器４１を介さずに接続するバイパス配管４４とを備え、外調側流量調整装置４２は、流入口４ａから外調側熱交換器４１に流れる熱媒体の流量と、流入口４ａからバイパス配管４４に流れる熱媒体の流量との比率を調整する構成を付加してもよい。  この構成によって、バイパス配管４４がエアハンドリングユニット４に設けられるため、熱源側ユニットとエアハンドリングユニット４を繋ぐ配管にバイパス配管４４を設ける必要が無く、施工が容易となる。
【０１５８】  また、第３のエアハンドリングユニット４に関する様態として、上述の第１または第２のエアハンドリングユニット４に関する様態に、外調側流量調整装置４２は、外調側熱交換器４１において熱交換される熱量と、外調側熱交換器４１が必要とする熱量に基づき、外調側熱交換器４１に流れる熱媒体の流量を調整する構成を付加してもよい。  この構成によって、外調側熱交換器４１で熱交換される熱量と外調側熱交換器４１が必要とする熱量とに基づき、外調側熱交換器４１に流れる熱媒体の流量を調整することができ、より無駄の無い熱供給を行うことができる。
【０１５９】  なお、第３のエアハンドリングユニット４に関する様態に、外調側流量調整装置４２は、外調側熱交換器４１が必要とする熱量が外調側熱交換器４１において熱交換される熱量よりも大きい場合に、外調側熱交換器４１に流れる熱媒体の流量を増加する構成を付加してもよい。  この構成によって、外調側熱交換器４１に供給される熱量が不足している場合に、外調側熱交換器４１に流れる熱媒体の流量を増加させ、外調側熱交換器４１に供給される熱量を増加させることができる。  さらに、第３のエアハンドリングユニット４に関する様態に、外調側流量調整装置４２は、外調側熱交換器４１が必要とする熱量が外調側熱交換器４１において熱交換される熱量よりも小さい場合に、外調側熱交換器４１に流れる熱媒体の流量を減少する構成を付加してもよい。  この構成によって、外調側熱交換器４１に供給される熱量が過剰である場合に、外調側熱交換器４１に流れる熱媒体の流量を減少させ、外調側熱交換器４１に供給される熱量を減少させることができる。
【０１６０】  また、第４のエアハンドリングユニット４に関する様態として、上述の第１〜第３のエアハンドリングユニット４に関する様態のいずれかに、外調側流量調整装置４２を制御するエアハンドリングユニット制御装置４００を備え、エアハンドリングユニット制御装置４００は、熱を搬送する媒体となる熱媒体を加熱または冷却する熱源側ユニットを制御する熱源側ユニット制御装置と通信接続される構成を付加してもよい。  この構成によって、エアハンドリングユニット制御装置４００と熱源側ユニット制御装置との間で情報の送受信を行うことができ、エアハンドリングユニット４と熱源側ユニットとの間で連携制御を行うことができる。ここで連携制御とは、たとえば、熱源側ユニット制御装置がエアハンドリングユニット４の状態に関する情報に基づいて熱源側ユニットに搭載された機器の制御を行うこと、またはエアハンドリングユニット制御装置４００が熱源側ユニットの状態に関する情報に基づいてエアハンドリングユニット４に搭載された機器の制御を行うことである。
【０１６１】  また、第５のエアハンドリングユニット４に関する様態として、上述の第４または第５のエアハンドリングユニット４に関する様態に、外調側熱交換器４１で熱交換される熱量を検出する外調側熱量検出装置を備え、エアハンドリングユニット制御装置４００は、外調側熱量検出装置により検出した外調側熱交換器４１における熱交換に係る熱量に関するデータを、熱源側ユニット制御装置に送信する構成を付加してもよい。この構成によって、熱源側ユニット制御部は外調側熱交換器４１で熱交換される熱量に基づき熱源側ユニットの制御を行うことができ、より無駄の無い熱供給を行うことができる。
【０１６２】  また、第６のエアハンドリングユニット４に関する様態として、上述の第６のエアハンドリングユニット４に関する様態に、外調側熱量検出装置は、外調側熱交換器４１に流入する熱媒体の温度を検出する外調流入口側温度センサ５１５と、外調側熱交換器４１より流出する熱媒体の温度を検出する外調流出口側温度センサ５１６と、エアハンドリングユニット制御装置４００とであり、エアハンドリングユニット制御装置４００は、外調流出口側温度センサ５１６の検出温度と、外調側熱交換器４１を通過する熱媒体の流量とに基づき、外調側熱交換器４１において熱交換の熱量を算出し、算出した熱量を、熱源側ユニット制御装置に送信する構成を付加してもよい。この構成によって、外調側熱交換器４１に流入する熱媒体の温度と、外調側熱交換器４１より流出する熱媒体の温度と、外調側熱交換器４１を通過する熱媒体の流量に基づき、より精度よく外調側熱交換器４１において熱交換を行う熱量を算出することができる。
【０１６３】  また、第７のエアハンドリングユニット４に関する様態として、上述の第７のエアハンドリングユニット４に関する様態に、外調側流量調整装置４２は開度を調整できる弁であり、外調側熱量検出装置は、外調側熱交換器４１に流入する熱媒体の圧力を検出する外調流入口側圧力センサ５２３と、外調側熱交換器４１より流出する熱媒体の圧力を検出する外調流出口側圧力センサ５２４とを備え、エアハンドリングユニット制御装置４００は、外調流入口側圧力センサ５２３の検出圧力と外調流出口側圧力センサ５２４の検出圧力の差圧と、外調側流量調整装置４２の開度と、に基づき外調側熱交換器４１を通過する熱媒体の流量を算出する構成を付加してもよい。  この構成によって、外調側熱交換器４１の流入側と流出側の圧力差および外調側流量調整装置４２の開度に基づき、外調側熱交換器４１を通過する熱媒体の流量を算出するため、高価な流量計を用いずに、安価な圧力センサで流量を算出でき、エアハンドリングユニット４のコストを抑えることができる。
【０１６４】  また、第８のエアハンドリングユニット４に関する様態として、上述の第５〜第８のエアハンドリングユニット４に関する様態のいずれかに、エアハンドリングユニット制御装置４００は、外調側熱交換器４１が必要とする熱量が外調側熱量検出装置で検出した熱量よりも大きく、外調側流量調整装置４２で調整可能な流量の上限に達している場合に、熱源側ユニットが熱媒体に供給する加熱量または冷却量を制御する熱源側ユニット制御装置へ熱媒体に供給する加熱量または冷却量の増加を要請する信号を送信する構成を付加してもよい。  この構成によって、外調側流量調整装置４２による流量調整で外調側熱交換器４１に必要とする熱量を達成できない場合であっても、熱源側ユニットが熱媒体に与える加熱量または冷却量を増加させるため、外調側熱交換器４１に必要とする熱量をより確実に達成させることができる。
【符号の説明】
【０１６５】  ０  空気調和装置、１  室外ユニット、１ａ  補助室外ユニット、２  中継ユニット、２ａ  補助中継ユニット、３，３ａ，３ｂ，３ｃ  室内ユニット、４  エアハンドリングユニット、４ａ  流入口、４ｂ  流出口、５  熱媒体配管、５Ａ  中継ユニット内配管、５Ｂ  第１接続配管、５Ｃ  エアハンドリングユニット内配管、５Ｃａ  往路配管、５Ｃｂ  復路配管、５Ｄ  第２接続配管、５Ｄａ  主配管、５Ｄｂ  枝配管、５Ｅ，５Ｅａ，５Ｅｂ，５Ｅｃ  室内ユニット内配管、５Ｆ  第３接続配管、５Ｆａ  主配管、５Ｆｂ  枝配管、５Ｇ  第４接続配管、５Ｈ  第５接続配管、６，６ａ  冷媒配管、１０  圧縮機、１１  冷媒流路切替装置、１２  熱源側熱交換器、１３  絞り装置、１４  アキュムレータ、１５  熱源側送風機、２１  熱媒体熱交換器、２２  ポンプ、３１，３１ａ，３１ｂ，３１ｃ  室内側熱交換器、３２，３２ａ，３２ｂ，３２ｃ  室内側流量調整装置、３３，３３ａ，３３ｂ，３３ｃ  室内側送風機、４１  外調側熱交換器、４２  外調側流量調整装置、４３  外調側送風機、４４  バイパス配管、４５  バイパス側流量調整装置、１００  室外ユニット制御装置、２００  中継ユニット制御装置、２００ａ  補助中継ユニット制御装置、３００  室内ユニット制御装置、４００  エアハンドリングユニット制御装置、５０１  吐出温度センサ、５０２  吐出圧力センサ、５０３  室外温度センサ、５０４  第１冷媒温度センサ、５０５  第２冷媒温度センサ、５１１  熱媒体流入口側温度センサ、５１２  熱媒体流出口側温度センサ、５１３，５１３ａ，５１３ｂ，５１３ｃ  室内流入口側温度センサ、５１４，５１４ａ，５１４ｂ，５１４ｃ  室内流出口側温度センサ、５１５  外調流入口側温度センサ、５１６  外調流出口側温度センサ、５２１，５２１ａ，５２１ｂ，５２１ｃ  室内流入口側圧力センサ、５２２，５２２ａ，５２２ｂ，５２２ｃ  室内流出口側圧力センサ、５２３  外調流入口側圧力センサ、５２４  外調流出口側圧力センサ、５３２  外気温度センサ、５３１，５３１ａ，５３１ｂ，５３１ｃ  室内温度センサ。
【図１】
2019163042.tif 000003
【図２】
2019163042.tif 000004
【図３】
2019163042.tif 000005
【図４】
2019163042.tif 000006
【図５】
2019163042.tif 000007
【図６】
2019163042.tif 000008
【図７】
2019163042.tif 000009
【図８】
2019163042.tif 000010
【図９】
2019163042.tif 000011
【図１０】
2019163042.tif 000012
【国際調査報告】
2019163042.tif 000013
2019163042.tif 000014
2019163042.tif 000015
2019163042.tif 000016